(57)【特許請求の範囲】
【請求項１】
電子機器に記憶される構成設定ファイルのバージョンが前記構成設定ファイルの現在のバージョンに一致することを確定することであって、前記記憶された構成設定ファイルが、ワイヤレス広域ネットワークを経由して通信するように前記電子機器のモデムを構成設定するための設定を含む、前記確定することと、
加入者識別モジュール（ＳＩＭ）カードが前記電子機器に結合されることを確定することと、
複数の通信プロバイダから第１の通信プロバイダを識別する情報を、前記ＳＩＭカードから取得することと、
前記第１の通信プロバイダに対応する第１の設定を前記記憶された構成ファイルから確定することと、
前記ワイヤレス広域ネットワークを経由した通信において前記モデムによって利用される少なくとも前記電子機器の第１の機構をイネーブルにし、前記ワイヤレス広域ネットワークを経由した通信に関連する少なくとも前記電子機器の第２の機構をディスエーブルにすることによって、前記第１の設定を使用して、前記ワイヤレス広域ネットワークを経由して通信するように前記モデムを構成設定することと、
前記電子機器の前記第１の機構がイネーブルであり、前記電子機器の前記第２の機構がディスエーブルであることを示す前記第１の設定に関する情報を前記通信プロバイダに送信することと、
を含む方法。
【請求項２】
前記第１の機構が、前記ワイヤレス広域ネットワークを経由する前記モデムの通信を認証するための認証機構であり、
前記第２の機構が、第４世代（４Ｇ）ワイヤレス広域ネットワークを経由する通信から、第３世代（３Ｇ）ワイヤレス広域ネットワークを経由する通信に切り替えるのに前記モデムによって使用されるハンドオーバー手順である、
請求項１に記載の方法。
【請求項３】
前記第１の通信プロバイダに対応する更新された設定を含む更新された構成設定ファイルを受信すること、及び
前記更新された設定を使用して、前記ワイヤレス広域ネットワークを経由して前記第１の通信プロバイダと通信するように前記モデムを構成設定すること
をさらに含む、請求項１に記載の方法。
【請求項４】
前記ＳＩＭカードが前記電子機器内に挿入されたことを確定すること、
アカウント情報を機器プロバイダに送信することであって、前記アカウント情報が、個人が前記電子機器を前記機器プロバイダから入手したことを示すこと、
前記構成設定ファイルを前記機器プロバイダから受信すること、及び
前記構成設定ファイルを前記モデムの不揮発性メモリに記憶すること
をさらに含む、請求項１に記載の方法。
【請求項５】
前記構成設定ファイルが、第２の通信プロバイダの第２の設定を含み、前記第２の設定が、前記ワイヤレス広域ネットワークを経由して前記第２の通信プロバイダと通信するように前記モデムを構成設定するためのものである、
請求項１に記載の方法。
【請求項６】
更新された第１の設定及び更新された第２の設定を含む更新された構成設定ファイルを受信することと、
前記更新された第１の設定を使用して、前記ワイヤレス広域ネットワークを経由して前記第１の通信プロバイダと通信するように前記モデムを構成設定することと
をさらに含む、請求項５に記載の方法。
【請求項７】
前記更新された構成設定ファイルが、第３の通信プロバイダの第３の設定を含み、前記第３の設定が、前記ワイヤレス広域ネットワークを経由して前記第３の通信プロバイダと通信するように前記モデムを構成設定するためのものである、請求項６に記載の方法。
【請求項８】
前記第１の設定を使用して、前記ワイヤレス広域ネットワークを経由して前記第１の通信プロバイダと通信するように前記モデムを構成設定後、前記モデムをリブートすることをさらに含む、請求項１に記載の方法。
【請求項９】
モデムと、
１つまたは複数のプロセッサと、
加入者識別モジュール（ＳＩＭ）カードに、及び動作を行うように前記１つまたは複数のプロセッサによって実行可能な命令に結合されるワイヤレス広域ネットワークコンポーネントと
を含む電子機器であって、前記動作が、
構成設定ファイルを記憶することであって、前記構成設定ファイルが、ワイヤレス広域ネットワークを介して通信するように前記モデムを構成設定するための設定を含む、前記記憶すること、
前記ＳＩＭカードにおいて記憶される識別子に従って、複数の通信プロバイダの中から第１の通信プロバイダを識別すること、
前記構成設定ファイルから、前記第１の通信プロバイダに対応する第１の設定を取得すること、及び
前記ワイヤレス広域ネットワークを経由した通信において前記モデムによって利用される少なくとも前記電子機器の第１の機構をイネーブルにし、前記ワイヤレス広域ネットワークを経由した通信に関連する少なくとも前記電子機器の第２の機構をディスエーブルにすることによって、前記第１の設定を使用して、前記ワイヤレス広域ネットワークを介して通信するように前記モデムを構成設定すること
を含み、
前記電子機器の前記第１の機構がイネーブルであり、前記電子機器の前記第２の機構がディスエーブルであることを示す前記第１の設定に関する情報が前記第１の通信プロバイダに送信されて、前記第１の通信プロバイダが前記電子機器による前記通信を管理する、前記電子機器。
【請求項１０】
前記ＳＩＭカードが、第１のＳＩＭカードであり、
前記動作が、
第２のＳＩＭカードが前記電子機器内に挿入されたことを確定すること、
前記第２のＳＩＭカードにおいて記憶される追加の識別子に従って前記複数の通信プロバイダの中から第２の通信プロバイダを識別すること、
前記構成設定ファイルから、前記第２の通信プロバイダに対応する第２の設定を取得すること、及び
前記第２の設定を使用して、前記ワイヤレス広域ネットワークを介して前記第２の通信プロバイダと通信するように前記モデムを構成設定すること
をさらに含む、
請求項９に記載の電子機器。
【請求項１１】
前記動作が、
前記第２のＳＩＭカードが前記電子機器から取り外されたことを確定すること、及び
前記第１のＳＩＭカードが前記電子機器内に挿入されたことを確定すること
をさらに含む、請求項１０に記載の電子機器。
【請求項１２】
前記動作が、前記第１の設定を使用して、前記ワイヤレス広域ネットワークを介して前記第１の通信プロバイダと通信するように前記モデムを再構成設定することをさらに含む、請求項１１に記載の電子機器。
【請求項１３】
前記動作が、
ディスエーブルにされる前記ワイヤレス広域ネットワークを経由して通信するための前記電子機器の機構、及びイネーブルにされる前記ワイヤレス広域ネットワークを経由して通信するための前記電子機器の機構を示すビットマップを生成すること、ならびに
前記ビットマップを前記第１の通信プロバイダに送信すること
をさらに含む、請求項９に記載の電子機器。
【請求項１４】
前記動作が、
前記電子機器のワイヤレスのローカルエリアネットワークコンポーネントを介して、前記構成設定ファイルを受信すること、
前記構成設定ファイルが前記構成設定ファイルの現在のバージョンに一致しないことを確定すること、及び
前記構成設定ファイルの更新されたバージョンを機器プロバイダから取得すること
をさらに含む、請求項９に記載の電子機器。
【発明の詳細な説明】
【技術分野】
【０００１】
関連出願
本出願は、２０１４年１０月３０日に出願され、「Ｃｏｎｆｉｇｕｒｉｎｇ  ａｎ  Ｅｌｅｃｔｒｏｎｉｃ  Ｄｅｖｉｃｅ  ｆｏｒ  Ｗｉｒｅｌｅｓｓ  Ｃｏｍｍｕｎｉｃａｔｉｏｎｓ」と題された、米国特許出願第１４／５２８，８４４号の便益及びそれに対する優先権を主張するものであり、その開示全体が、全体的に参照することによって本明細書に組み込まれている。
【背景技術】
【０００２】
スマートフォン、タブレットコンピューティング機器、及びウェアラブルコンピューティング機器などの様々な電子機器は、ワイヤレス広域ネットワークを使用して通信することができる。通常、機器は、通信プロバイダによって指定される仕様に従ってワイヤレス広域ネットワークを経由して通信する。通信プロバイダは、通信プロバイダからプランまたは契約を購入する個人に、ワイヤレス広域ネットワークを介して通信するためのサービスを提供することができる。電子機器のユーザが特定の通信プロバイダから契約またはプランを購入すると、電子機器は、特定の通信プロバイダの仕様に従ってワイヤレス広域ネットワークを経由する通信に向けて構成設定され得る。
【０００３】
詳細な説明については、添付の図を参照して説明する。図においては、参照符号の最左桁（複数可）は、参照符号が最初に現れる図を識別する。相異なる図の中の同じ参照符号は、類似または同一の項目を示す。
【図面の簡単な説明】
【０００４】
【図１】加入者識別モジュール（ＳＩＭ）カード及び構成設定ファイルを使用して、ワイヤレス通信に向けて電子機器を構成設定するためのシステムを示す。
【図２】ワイヤレス通信に向けて電子機器を構成設定するためのシステムを示す。
【図３】ワイヤレス通信に向けて電子機器を構成設定するための構成設定ファイルを電子機器に提供する機器プロバイダを含むシステムを示す。
【図４】ワイヤレス通信に向けて電子機器を構成設定するのに使用される構成設定ファイルを受信する電子機器を含むシステムを示す。
【図５】ワイヤレス通信に向けて電子機器を構成設定するための例示的な方法の流れ図を示す。
【図６】構成設定ファイルを取得し、構成設定ファイルの中の情報を使用してワイヤレス通信に向けて電子機器を構成設定するための例示的な方法の流れ図を示す。
【図７】ワイヤレス通信に向けて電子機器を構成設定するための構成設定ファイルを生成して電子機器に提供するための例示的な方法の流れ図を示す。
【発明を実施するための形態】
【０００５】
本明細書においては、ワイヤレス通信に向けて電子機器を構成設定するためのシステム及び方法について説明する。多くの場合においては、電子機器は、機器プロバイダによってワイヤレス通信に向けて構成設定され得る。機器プロバイダは、電子機器を機器のユーザに提供することができる。１つの例においては、機器プロバイダは、電子機器を消費者に販売する相手先商標製品製造会社（ＯＥＭ）とすることができる。これらの状況においては、ＯＥＭは、工場においてワイヤレス通信に向けて電子機器を構成設定することができ、消費者は、ワイヤレス通信向けに予め構成設定されている電子機器を入手することができる。１つの例においては、ＯＥＭは、加入者識別モジュール（ＳＩＭ）カードを電子機器内に挿入後、ワイヤレス通信に向けて電子機器を構成設定することができる。ＳＩＭカードは、特定の通信プロバイダを使用して、ワイヤレス広域ネットワークを介して通信するのに使用される情報を記憶することができる。いくつかの事例においては、ＳＩＭカードは、電子機器から取外し可能とすることができるが、他の状況においては、ＳＩＭカードは、取外し不可能である（すなわち、機器から取り外されることを意図していない）。
【０００６】
ワイヤレス通信に向けて電子機器を構成設定することは、ワイヤレス広域ネットワークを介して通信するための電子機器の１つまたは複数のコンポーネントを設定することを含むことができる。ワイヤレス広域ネットワークには、グローバルシステムフォーモバイルコミュニケーションズ（ＧＳＭ（登録商標））ネットワーク、ロングタームエボリューション（ＬＴＥ）ネットワーク、ユニバーサルモバイルテレコミュニケーションズシステム（ＵＭＴＳ）ネットワーク、符号分割多元接続（ＣＤＭＡ）ネットワーク、またはそれらの組合せが含まれ得る。機器は、通信プロバイダの仕様に従ってワイヤレス広域ネットワークを介して通信することができる。通信プロバイダの仕様は、ワイヤレス広域ネットワークを介して通信するための、電子機器と通信プロバイダとの間で交換される情報を識別することができる。加えて、通信プロバイダの仕様は、電子機器とワイヤレス広域ネットワークのコンポーネントとの間で交換される情報を指定することができる。いくつかの場合においては、通信プロバイダの仕様は、ワイヤレス広域ネットワークを経由する通信に向けてのセキュリティ対策に関係し得る。さらには、通信プロバイダの仕様は、ワイヤレス広域ネットワークを経由する通信の効率性に関係し得る。通信プロバイダの仕様はまた、ワイヤレス広域ネットワークを経由する機器の認証に関係し得る。
【０００７】
電子機器が、機器プロバイダによって、及びユーザに対して流通される前に、通信に向けて構成設定されるシナリオにおいては、特定の通信プロバイダの設定は、電子機器のモデムに記憶され得る。多くの事例においては、電子機器が、異なる通信プロバイダを使用してワイヤレス広域ネットワークを介して適正に通信するように構成設定されるためには、モデムの設定は、機器プロバイダによって修正される。したがって、電子機器は、異なる通信プロバイダの仕様に従ってモデムの設定を修正するために、機器プロバイダに返送され得る。
【０００８】
本明細書に説明される実施態様によれば、ワイヤレス広域ネットワークを介する通信に向けて電子機器によって利用されるモデムの設定は、電子機器を機器プロバイダに返送することなく修正される。一実施態様においては、複数の通信プロバイダの仕様に従ってワイヤレス広域ネットワークを介して通信するのに電子機器によって使用されるべき設定を含む構成設定ファイルが、電子機器に提供される。電子機器は、ワイヤレス広域ネットワークを介する通信を提供すべき通信プロバイダを確定し、その通信プロバイダについての構成設定ファイルの設定を実装することができる。いくつかの場合においては、電子機器に通信を提供する通信プロバイダは、電子機器に関連するＳＩＭカードにおいて記憶される情報に従って識別され得る。いくつかの実施態様においては、電子機器は、ＳＩＭカードが電子機器内に挿入されるとき、特定の通信プロバイダの設定に従って構成設定され得る。
【０００９】
加えて、電子機器の構成設定は、電子機器によって記憶される構成設定ファイルを変更することによって修正され得る。一実施態様においては、機器プロバイダは、１つまたは複数の通信プロバイダがワイヤレス広域ネットワークを介して通信するためのそれらのそれぞれの仕様を変更するとき、構成設定ファイルを修正し、修正された構成設定ファイルを電子機器に送信することができる。１つの例においては、構成設定ファイルは、電子機器が、ワイヤレス広域ネットワークを経由して通信する通信プロバイダの仕様の変更を反映するように修正され得る。別の例においては、電子機器の構成設定は、異なる通信プロバイダが、ワイヤレス広域ネットワークを介する通信との関連でサービスを電子機器に提供すべきであるとき、修正され得る。例示するように、電子機器のユーザは、ユーザによって利用される、以前の通信プロバイダとは異なる通信プロバイダの加入者になることができる。
【００１０】
ワイヤレス広域ネットワークを介して通信するように電子機器を構成設定するのに構成設定ファイルを利用することによって、電子機器の構成設定に対する修正は、電子機器のソフトウェア及び／またはハードウェアを修正するのではなく、構成設定ファイルを変更することによって確立され得る。追加として、電子機器の構成設定は、電子機器をユーザに利用できるようにした機器プロバイダに電子機器を返送することなく行われ得る。代わりに、機器プロバイダは、更新された構成設定ファイルを電子機器に提供することができ、電子機器は、更新された構成設定ファイルに従って再構成設定され得る。このようにして、電子機器のユーザは、ワイヤレス広域ネットワークを介して通信するのに利用される通信プロバイダをより都合良く変更することができる。さらには、電子機器の構成設定は、ユーザ、機器プロバイダ、またはその両方が、電子機器のコンポーネントのソフトウェア及び／またはファームウェアに対して変更を行うことなく、最新の状態に保たれ得る。通信プロバイダの更新された仕様に従って電子機器の構成設定を維持することは、結果的には、ワイヤレス広域ネットワークを介して、電子機器がより効率的に動作すること、及び／または電子機器がよりセキュアな方式で通信することになり得る。このようにして、機器プロバイダ、通信プロバイダ、またはその両方に対する顧客満足度が、結果的には、もたらされ得る。
【００１１】
図１は、ＳＩＭ１０４カード及び構成設定ファイル１０６を使用して、ワイヤレス通信に向けて電子機器１０２を構成設定するためのシステム１００を示している。図１の例示的な実施態様においては、ＳＩＭカード１０４は、電子機器１０２内に挿入され、電子機器１０２の中のスロットを介して電子機器１０２から取り外され得る。電子機器１０２はまた、不揮発性メモリ１１０を有するモデム１０８を含むことができる。一実施態様においては、不揮発性メモリ１１０は、構成設定ファイル１０６に含まれている情報を実装するためのファームウェア、ソフトウェア、またはその両方を記憶することができる。
【００１２】
電子機器１０２は、機器プロバイダ１１２から構成設定ファイル１０６を取得することができる。いくつかの場合においては、機器プロバイダ１１２は、電子機器１０２の相手先商標製品製造会社（ＯＥＭ）であってもよい。図１の例示的な実施態様においては、構成設定ファイル１２０は、通信プロバイダの仕様に従って電子機器によって実装され得る機構に関する情報を含む。通信プロバイダは、ワイヤレス広域ネットワークを経由して通信するためのサービスを提供することができる。いくつかのシナリオにおいては、相異なる機構は、通信プロバイダによって提案される相異なるプランについて通信プロバイダによって指定され得る。たとえば、構成設定ファイル１０６は、ワイヤレス広域ネットワークを経由する通信に向けて、第１の通信プロバイダのプランＡについての設定及び第１の通信プロバイダのプランＢについての設定を含むことができる。構成設定ファイル１０６はまた、ワイヤレス広域ネットワークを経由する通信との関連で第２の通信プロバイダについての設定も含むことができる。
【００１３】
構成設定ファイル１０６の中の設定は、ワイヤレス広域ネットワークを介する通信に関係している機構が、イネーブルにされること、またはディスエーブルにされることを示すことができる。１つの例においては、構成設定ファイル１０６は、モデム１０８が第４世代（４Ｇ）ワイヤレスネットワークを介する通信から第３世代（３Ｇ）ワイヤレスネットワークに切り替わるとき、ハンドオーバー機構がイネーブルにされることを示すことができる。別の例においては、構成設定ファイル１０６は、支援型地理的測位システム（ＧＰＳ）サポートがディスエーブルにされることを示すことができる。追加的な例においては、構成設定ファイル１０６は、ＬＴＥネットワーク、ＣＤＭＡネットワーク、またはＧＳＭネットワークを使用するための優先度など、ネットワークモード選好を示すことができる。
【００１４】
構成設定ファイル１０６は、第１の通信プロバイダのプランＢの場合とは異なる機構が、第１の通信プロバイダのプランＡの場合にイネーブルにされることを示すことができる。たとえば、機構２は、第１の通信プロバイダのプランＡの場合にイネーブルにされるが、機構２は、第１の通信プロバイダのプランＢの場合にはディスエーブルにされる。加えて、機構３は、第１の通信プロバイダのプランＡの場合にディスエーブルにされ、機構３は、第１の通信プロバイダのプランＢの場合にはイネーブルにされている。さらには、相異なる機構が、相異なる通信プロバイダについてイネーブルにされ得る。例示するように、機構４は、第１の通信プロバイダのプランＡ及びプランＢの場合にイネーブルにされているが、第２の通信プロバイダの設定の場合にはディスエーブルにされる。
【００１５】
一実施態様においては、ＳＩＭカード１０４は、電子機器１０２内に挿入され得、ＳＩＭカード１０４において記憶される情報は、ＳＩＭカード１０４に関連する通信プロバイダを確定するために、電子機器１０２によってアクセスされ得る。１つの例においては、ＳＩＭカード１０４は、通信プロバイダ識別子１１４を含むことができる。いくつかの場合においては、ＳＩＭカード１０４はまた、電子機器１０２のユーザによって入手されるプランを示す情報を含むことができる。例示的な実施態様においては、電子機器１０２は、ＳＩＭカード１０４において記憶される情報に少なくとも一部基づいて、電子機器１０２が、第１の通信プロバイダのプランＡに関連する設定によりワイヤレス広域ネットワークを介して通信すべきであることを確定することができる。これらの状況においては、モデム１０８は、第１の通信プロバイダプランＡ設定にアクセスし、その設定を通信プロバイダ設定１１６として不揮発性メモリ１１０に記憶することができる。モデム１０８が、ワイヤレス広域ネットワークを経由して通信するように動作するとき、モデム１０８は、通信プロバイダ設定１１６を利用して、イネーブルまたはディスエーブルにする機構を確定することができる。例示するように、モデム１０８は、第１の通信プロバイダプランＡの設定が不揮発性メモリ１１０に記憶されるとき、ワイヤレス広域ネットワークを経由する通信に向けて、機構１、機構２、及び機構４をイネーブルにすると同時に、機構３をディスエーブルにすることができる。
【００１６】
図２は、ワイヤレス広域ネットワークに向けて電子機器２０２を構成設定するためのシステム２００を示している。電子機器２０２は、ワイヤレス広域ネットワークを介して通信するためのコンポーネントを含むことができる。電子機器２０２には、スマートフォン、タブレットコンピューティング機器、電子ブックリーダ機器、メディア再生機器、ポータブルゲーミング機器、ラップトップコンピューティング機器、ネットブックコンピューティング機器、ウェアラブルコンピューティング機器（たとえば、腕時計、眼鏡）、またはそれらの組合せなどのポータブル電子機器が含まれ得る。電子機器２０２にはまた、デスクトップコンピューティング機器、ゲーミングコンソール、セットトップボックス、電化製品、テレビ、またはそれらの組合せが含まれ得る。電子機器２０２は、個人２０４によって操作され得る。
【００１７】
システム２００はまた、機器を個人に提供する機器プロバイダ２０６を含む。いくつかの場合においては、個人は、たとえば機器プロバイダ２０６の物理的な場所もしくは店舗、機器プロバイダ２０６のオンラインウェブサイト、またはその両方を介して、直接、機器プロバイダ２０６から機器を入手することができる。他の例においては、個人は、機器プロバイダ２０６によって供給される小売業者から電子機器を入手することができる。一実施態様においては、機器プロバイダ２０６は、相手先商標製品製造会社（ＯＥＭ）とすることができる。
【００１８】
システム２００はまた、第１の通信プロバイダ２０８及び第２の通信プロバイダ２１０を含む。第１の通信プロバイダ２０８及び第２の通信プロバイダ２１０は、ワイヤレス広域ネットワークを経由して通信するための電子機器に対するサービスを提供することができる。いくつかの場合においては、第１の通信プロバイダ２０８及び第２の通信プロバイダ２１０は、ワイヤレス広域ネットワークを介して通信するための電子機器に対する仕様を提供することができる。一実施態様においては、第１の通信プロバイダ２０８及び第２の通信プロバイダ２１０は、ワイヤレス広域ネットワークを使用して通信するとき、特定の通信機構が実装すべきであることを指定することができる。通信プロバイダの仕様によって列挙される通信機構は、あるタイプの通信ネットワークから、異なるタイプの通信ネットワークに切り替えるための技法を含むことができる。たとえば、通信プロバイダの仕様に含まれる通信機構は、第３世代（３Ｇ）ネットワークと第４世代（４Ｇ）ネットワークとの間で切り替えるための手順を含むことができる。別の例においては、第１の通信プロバイダ２０８、第２の通信プロバイダ２１０、またはその両方は、ワイヤレス広域ネットワークを使用して通信するとき、テキストメッセージ、フォトメッセージ、ビデオメッセージ、またはそれらの組合せなどの特定のメッセージング機構が、イネーブルにされること、またはディスエーブルにされることを指定することができる。さらには、第１の通信プロバイダ２０８、第２の通信プロバイダ２１０、またはその両方は、ワイヤレス広域ネットワークを経由して通信するとき、全地球測位システム（ＧＰＳ）機構が、イネーブルにされること、またはディスエーブルにされることを指定することができる。
【００１９】
第１の通信プロバイダ２０８及び第２の通信プロバイダ２１０によって提供される仕様はまた、特定の認証情報が、ワイヤレス広域ネットワークを介する通信に含まれるべきであることを指定することができる。いくつかの場合においては、認証情報は、個人２０４の識別子など、電子機器２０２のユーザの識別子を含むことができる。他の場合においては、認証情報は、電子機器２０２の識別子を含むことができる。他の状況においては、第１の通信プロバイダ２０８、第２の通信プロバイダ２１０、またはその両方は、電子機器によって使用されるべき暗号化アルゴリズムを示す仕様を提供することができる。さらなる別の例においては、第１の通信プロバイダ２０８、第２の通信プロバイダ２１０、またはその両方は、ＬＴＥネットワーク、ＣＤＭＡネットワーク、またはＧＳＭネットワーク間で選定するための優先順位のような、ワイヤレス広域ネットワークの技術を選定するための優先順位を示す仕様を提供することができる。
【００２０】
システム２００は、システム２００の機器によって通信するのに利用され得る１つまたは複数のネットワーク２１２を含むことができる。１つまたは複数のネットワーク２１２は、ＷＷＡＮ２１４、ワイヤードのローカルエリアネットワーク、ワイヤレスのローカルエリアネットワーク、もしくは公衆交換電話網（ＰＳＴＮ）など、１つまたは複数のインターネット、ケーブルネットワーク、衛星ネットワーク、ワイヤレス広域ネットワークのうちの１つあるいは複数を含むことができる。１つまたは複数のネットワーク２１２を経由する通信は、インターネットプロトコル（ＩＰ）、伝送制御プロトコル（ＴＣＰ）、ユーザデータグラムプロトコル（ＵＤＰ）、もしくは他のタイプのプロトコルなどのパケットベース及び／またはデータグラムベースのプロトコルを含む、通信プロトコルを利用することができる。その上、１つまたは複数のネットワーク２１２はまた、スイッチ、ルータ、ゲートウェイ、アクセスポイント、ファイヤーウォール、基地局、リピータ、及びバックボーン機器など、１つまたは複数のネットワーク２１２のための通信を容易にする、及び／またはハードウェアの基礎を形成するいくつかの機器を含むことができる。
【００２１】
電子機器２０２は、ワイヤレス広域ネットワーク２１４を介して信号を伝達する電子機器２０２のためのワイヤレス広域ネットワークコンポーネント２１６を含むことができる。例示的な実施態様においては、ワイヤレス広域ネットワークコンポーネント２１６は、ワイヤレス広域ネットワーク２１４を経由して伝達される信号を変調及び復調するためのモデムを含むことができる。ワイヤレス広域ネットワークコンポーネント２１６はまた、ＳＩＭカード２１８を含むことができる。いくつかの場合においては、ＳＩＭカード２１８は、電子機器２０２から取外し可能とすることができる。たとえば、ＳＩＭカード２１８は、電子機器２０２の縁部に沿って形成されるスロットにより電子機器２０２に挿入、及び電子機器２０２から取外し可能とすることができる。他の事例においては、ＳＩＭカード２１８は、電子機器２０２から取外し不可能とすることができる。例示するように、ＳＩＭカード２１８は、埋込み式のＳＩＭカードとすることができる。図２の例示的な実施態様は、ワイヤレス広域ネットワークコンポーネント２１６の一部としてＳＩＭカード２１８を示しているが、ＳＩＭカード２１８は、たとえばインターフェースによりワイヤレス広域ネットワークコンポーネント２１６に結合されてもよい。
【００２２】
ワイヤレス広域ネットワークコンポーネント２１６はまた、コンピュータ可読命令、データ構造体、プログラムモジュール、または他のデータなどの情報を記憶するための任意のタイプの技術で実装される揮発性及び不揮発性のメモリ及び／または取外し可能及び取外し不可能な媒体を含む１つまたは複数のコンピュータ可読ストレージ媒体２２０を含むことができる。１つまたは複数のコンピュータ可読ストレージ媒体２２０は、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光学ストレージ、磁気カセット、磁気テープ、固体ストレージ、磁気ディスクストレージ、または所望の情報を記憶するのに使用可能、及び電子機器２０２による使用のためにアクセス可能な任意の他の媒体を含むことができるが、これらに限定されない。一実施態様においては、コンピュータ可読ストレージ媒体２２０は、非一時的媒体を含むことができる。例示的な実施態様においては、コンピュータ可読ストレージ媒体２２０は、不揮発性メモリを含むことができる。
【００２３】
コンピュータ可読ストレージ媒体２２０は、ワイヤレス広域ネットワーク２１４を介する通信に向けて電子機器２０２を構成設定するための情報を含む構成ファイル２２２の少なくとも一部分を記憶することができる。電子機器２０２は、機器プロバイダ２０６から構成設定ファイル２２２を受信することができる。一実施態様においては、構成設定ファイル２２２は、ワイヤレス広域ネットワーク２１４を使用して通信するための１つまたは複数の通信プロバイダによって設定される仕様を実装するためのワイヤレス広域ネットワークコンポーネント２１６についての設定を含むことができる。例示的な実施態様においては、構成設定ファイル２２２は、第１の通信プロバイダ２０８、第２の通信プロバイダ２１０、またはその両方の仕様を実装するためのワイヤレス広域ネットワークコンポーネント２１６についての設定を含むことができる。たとえば、いくつかの実施態様においては、構成設定ファイル２２２は、第１の通信プロバイダ２０８の仕様を実装する第１の設定２２４、及び第２の通信プロバイダ２１０の仕様を実装する第２の設定２２６を含むことができる。他の実施態様においては、コンピュータ可読ストレージ媒体２２０は、第１の設定２２４の少なくとも一部分、第２の設定２２６の少なくとも一部分、または第１の設定２２４の一部分と第２の設定２２６の一部分など、構成設定ファイル２２０の一部分を記憶することができる。
【００２４】
ワイヤレス広域ネットワークコンポーネント２１６のコンピュータ可読ストレージ媒体２２０はまた、電子機器２０２がワイヤレス広域ネットワーク２１４を介して通信するための構成設定ファイル２２２に含められる情報を実装する構成設定モジュール２２８を含むことができる。たとえば、構成設定モジュール２２８は、電子機器２０２が３Ｇネットワークを使用する通信と４Ｇネットワークを使用する通信との間で切り替わるとき、ワイヤレス広域ネットワークコンポーネント２１６が特定のハンドオーバー手順を実装すべきであることを構成設定ファイル２２２の第１の設定２２４が指定することを確定することができる。加えて、構成設定モジュール２２８は、ワイヤレス広域ネットワークコンポーネント２１６が３Ｇネットワークから４Ｇネットワークへの切り替えが行われるべきであることを確定するとき、ワイヤレス広域ネットワークコンポーネント２１６に、特定のハンドオーバー手順を実装させることができる。いくつかの場合においては、構成設定モジュール２２８は、ソフトウェア、ハードウェア、ファームウェア、またはそれらの組合せを含むことができる。
【００２５】
構成設定ファイル２２２を生成し、記憶することに加えて、機器プロバイダ２０６は、アカウント情報２３０を記憶することができる。アカウント情報２３０は、機器プロバイダ２０６からそれぞれの電子機器を入手した、及び機器プロバイダ２０６とのアカウントを有する、個人についての情報を含むことができる。アカウント情報２３０は、個人の識別子、個人の連絡先情報、通信プロバイダに対する個人についての加入もしくはプラン情報、個人によって入手された電子機器の識別子、個人によって入手された電子機器のモデル、個人によって入手された電子機器の機構、機器プロバイダ２０６による入手に向けて提案された項目に関する個人の購入履歴、またはそれらの組合せを含むことができる。いくつかの場合においては、アカウント情報２３０は、機器プロバイダ２０６から電子機器を入手する個人から、通信プロバイダから、またはその両方から取得され得る。
【００２６】
例示的な実施態様においては、個人２０４は、機器プロバイダ２０６から電子機器２０２を入手することができる。追加として、個人２０４は、電子機器１０２がワイヤレス広域ネットワーク２１４を介して通信するためのプランを第１の通信プロバイダ２０８から入手することができる。機器プロバイダ２０６から電子機器２０２を、及び第１の通信プロバイダ２０８からプランを入手後、電子機器２０２は、第１の設定２２４に基づいた第１の通信プロバイダ２０８の仕様に従ってワイヤレス広域ネットワーク２１４を経由する通信に向けて構成設定され得る。たとえば、構成設定モジュール２２８は、個人２０４が第１の通信プロバイダ２０８からプランを入手したことを示すＳＩＭカード２１８からの情報にアクセスすることができる。次いで、第１の設定２２４は、個人２０４がワイヤレス広域ネットワーク２１４を介して通信するためのプランを入手した第１の通信プロバイダ２０８の仕様に対応するので、構成設定モジュール２２８は、構成設定ファイル２２２からの第１の設定２２４にアクセスすることができる。いくつかの場合においては、構成設定モジュール２２８は、ワイヤレス広域ネットワーク２１４を経由して通信するための機構をイネーブルにすること、ワイヤレス広域ネットワーク２１４を経由して通信するための機構をディスエーブルにすること、またはその両方によって、第１の設定２２４を実装することができる。
【００２７】
いくつかの場合においては、構成設定ファイル２２２は、電子機器２０２が個人１０４によって入手される前に、電子機器２０２上に予めロードされ得る。他の事例においては、構成設定ファイル２２２は、個人が電子機器２０２を機器プロバイダ２０６から入手した後、機器プロバイダ２０６から取得され得る。たとえば、機器プロバイダ２０６は、個人２０４が電子機器２０２を機器プロバイダ２０６に登録するとき、構成設定ファイル２２２を電子機器２０２に送信することができる。例示するように、機器プロバイダ２０６は、個人２０４が電子機器２０２を機器プロバイダ２０６に登録するとき、電子機器２０２から、機器プロバイダ２０６との個人２０４のアカウントに関係している識別情報を受信することができる。個人２０４の情報を受信することに応答して、機器プロバイダ２０６は、受信した情報をアカウント情報２３０と比較し、適切な構成設定ファイルを識別して、電子機器２０２に送信することができる。様々な実施態様においては、構成設定ファイル２２２は、ワイヤレス広域ネットワーク２１４を介して電子機器２０２に送信され得る。他の実施態様においては、構成設定ファイル２２２は、ワイヤードのローカルエリアネットワークまたはワイヤレスのローカルエリアネットワークなど、ローカルエリアネットワークを介して電子機器２０２に送信されてもよい。
【００２８】
加えて、機器プロバイダ２０６は、構成設定ファイル２２２を更新することができる。いくつかの実施態様においては、構成設定ファイル２２２に対する更新は、個人２０４が更新に向けて電子機器２０２を機器プロバイダ２０６に提供するとき、取得され得る。たとえば、個人２０４は、電子機器２０２を機器プロバイダ２０６に送信すること、または電子機器２０２を機器プロバイダ２０６の場所に個人的に配送することができる。他の実施態様においては、構成設定ファイル２２２に対する更新は、電子機器２０２を個人２０４に販売した小売業者に電子機器２０２を提供することによって取得され得る。さらなる他の実施態様においては、機器プロバイダ２０６は、更新された構成設定ファイル２２２を１つまたは複数のネットワーク２１２を介して電子機器２０２に送信することができる。１つの説明のための例においては、第１の通信プロバイダ２０８は、第１の設定２２４を更新することができる。この状況においては、機器プロバイダ２０６は、第１の通信プロバイダ２０８から新規通信設定を受信し、それに従って構成設定ファイル２２２を更新することができる。構成設定ファイル２２２に対する更新を機器プロバイダ２０６から受信後、構成設定モジュール２２８は、構成設定ファイル２２２に対する更新に基づいて、ワイヤレス広域ネットワークコンポーネント２１６に対する変更を実装することができる。いくつかの場合においては、構成設定ファイル２２２に対する更新は、ワイヤレス広域ネットワーク２１４を介する電子機器２０２の通信の効率性を改善することができる。構成設定ファイル２２２に対する更新はまた、ワイヤレス広域ネットワーク２１４を介する電子機器２０２の通信のセキュリティを改善することができる。
【００２９】
一実施態様においては、電子機器２０２は、コンピュータ可読ストレージ媒体２２０に記憶されている構成設定ファイルのバージョンが、機器プロバイダ２０６によって記憶されている構成設定ファイルの現在のバージョンと一致するかどうかを確認することができる。いくつかの場合においては、構成設定モジュール２２８は、コンピュータ可読ストレージ媒体２２０に記憶されている構成設定ファイルのバージョンが、機器プロバイダ２０６によって記憶されている構成設定ファイルの現在のバージョンと一致するかどうかを確定するために、クエリを機器プロバイダ２０６に送信することができる。コンピュータ可読ストレージ媒体２２０に記憶されている構成設定ファイルのバージョンが、機器プロバイダ２０６によって記憶されている構成設定ファイルの現在のバージョンと一致しない状況においては、構成設定モジュール２２８は、機器プロバイダ２０６から構成設定ファイルの現在のバージョンを取得することができる。機器プロバイダ２０６から構成設定ファイルの現在のバージョンを受信することに少なくとも部分的に応答して、構成設定モジュール２２８は、構成設定ファイルの現在のバージョンに従ってワイヤレス広域ネットワーク２１４を経由して通信するようにワイヤレス広域ネットワークコンポーネント２１６を構成設定することができる。
【００３０】
図３は、ワイヤレス通信に向けて電子機器２０２を構成設定するための構成設定ファイル２２２を電子機器２０２に提供する機器プロバイダ２０６を含むシステム３００を示している。機器プロバイダ２０６は、コンピューティング機器３０２など、１つまたは複数のコンピューティング機器を含むことができる。いくつかの場合においては、コンピューティング機器３０２は、サーバコンピューティング機器を含むことができる。一実施態様においては、コンピューティング機器３０２は、機器プロバイダ３０２のクラウドコンピューティングアーキテクチャの一部とすることができる。コンピューティング３０２はまた、分散型コンピューティングアーキテクチャの一部とすることもできる。
【００３１】
コンピューティング機器３０２は、プロセッサ３０６などの１つまたは複数のプロセッサを含むことができる。１つまたは複数のプロセッサ３０６は、マイクロプロセッサなどの少なくとも１つのハードウェアプロセッサを含むことができる。いくつかの場合においては、１つまたは複数のプロセッサ３０６には、中央処理装置（ＣＰＵ）、グラフィックス処理装置（ＧＰＵ）、もしくはＣＰＵとＧＰＵの両方、または他の処理装置が含まれ得る。加えて、１つまたは複数のプロセッサ３０６は、プログラムモジュール、プログラムデータ、及び／または１つまたは複数のオペレーティングシステムを記憶することができるローカルメモリを含むことができる。
【００３２】
追加として、コンピューティング機器３０２は、コンピュータ可読ストレージ媒体３０６などの１つまたは複数のコンピュータ可読ストレージ媒体を含むことができる。コンピュータ可読ストレージ媒体３０６は、コンピュータ可読命令、データ構造体、プログラムモジュール、または他のデータなどの情報を記憶するための任意のタイプの技術で実装される揮発性及び不揮発性のメモリ、及び／または取外し可能もしくは取外し不可能な媒体を含むことができる。そのようなコンピュータ可読ストレージ媒体３０６には、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光学ストレージ、磁気カセット、磁気テープ、固体ストレージ、磁気ディスクストレージ、ＲＡＩＤストレージシステム、ストレージアレイ、ネットワークアタッチトストレージ、ストレージエリアネットワーク、クラウドストレージ、取外し可能ストレージ媒体、または所望の情報を記憶するのに使用可能、及びコンピューティング機器によってアクセス可能な任意の他の媒体を含むことができるが、これらに限定されない。コンピューティング機器３０２の構成設定に応じて、コンピュータ可読ストレージ媒体３０６は、有形のコンピュータ可読ストレージ媒体タイプであっても、非一時的ストレージ媒体であってもよい。
【００３３】
コンピュータ可読ストレージ媒体３０６は、１つまたは複数のプロセッサ３０４によって実行可能な任意の数の機能コンポーネントを記憶するのに使用され得る。多くの実施態様においては、これらの機能コンポーネントは、１つまたは複数のプロセッサ３０４によって実行可能な命令またはプログラムを含み、この命令またはプログラムは、実行されるとき、コンピューティング機器３０２に本明細書に属する動作を行うための動作ロジックを実装する。本明細書に説明するように、ワイヤレス通信に向けて電子機器を構成設定することに関係している様々な機能及び機構を実装するように、１つまたは複数のプロセッサ３０４において実行され得るコンピューティング機器３０２の機能コンポーネントは、電子機器登録モジュール３１０、構成設定ファイル生成モジュール３１２、及び構成設定ファイル更新モジュール３１４を含む。
【００３４】
コンピューティング機器３０２はまた、ＲＡＭ、ＲＯＭ、ＥＥＰＲＯＭ、フラッシュメモリ、１つまたは複数のハードディスク、固体ドライブ、光学メモリ（たとえば、ＣＤ、ＤＶＤ）、あるいは他の非一時的メモリ技術を含むことができるが、これらに限定されないデータストア３１６を含むことができる、またはこのデータストア３１６に結合される。一実施態様においては、データストア３１６によって記憶されるデータの少なくとも一部分は、コンピューティング機器３０２とは遠隔に位置付けされ得、機器プロバイダ３０２のいくつかのコンピューティング機器によってアクセスでき得る。いくつかの場合においては、データストア３１６は、サードパーティによってアクセスでき得る。
【００３５】
データストア３１６は、ワイヤレス通信に向けて電子機器を構成設定することに関係している動作を行うのにコンピューティング機器３０２によって利用される情報を維持することができる。たとえば、データストア３１６は、構成設定ファイル２２２など、１つまたは複数の構成設定ファイルを記憶することができる。構成設定ファイル２２２は、ワイヤレス広域ネットワークを介して通信するのに利用される機構を実装するのに使用される設定を含むことができる。いくつかの場合においては、構成設定ファイル２２２は、いくつかの通信プロバイダのそれぞれについて、それぞれの設定を含むことができる。加えて、構成設定ファイル２２２は、１つまたは複数の通信プロバイダによって提案される１つまたは複数のプランについて、設定を含むことができる。たとえば、通信プロバイダは、相異なるレベルのサービスを提案するいくつかのプランを提供すること、プランに加入している個人に使用される相異なるサービスを提供すること、またはその両方を行うことができる。例示するように、第１の通信プロバイダ１０８は、ワイヤレス広域ネットワークを経由するメッセージングサービスの使用を含むプランを提案することができる。別の例においては、第１の通信プロバイダ１０８は、電子機器が、３Ｇネットワークと４Ｇネットワークとの間で切り替わるとき、ハンドオーバー機構を利用するプランを提案することができる。
【００３６】
データストア３１６はまた、機器プロバイダ２０６とのアカウントを有する個人についてのアカウント情報２３０を記憶することができる。いくつかの場合においては、個人は、機器プロバイダ２０６から１つまたは複数の項目を入手後、機器プロバイダ２０６とのアカウントを取得することができる。他の場合においては、個人は、機器プロバイダ２０６から項目を入手することなく、ただし、機器プロバイダ２０６に情報を提供することによって、機器プロバイダ２０６とのアカウントを取得することができる。一実施態様においては、アカウント情報２３０は、機器プロバイダ２０６による個人の購入履歴、個人の１つまたは複数の識別子（たとえば、名前、姓、アカウント番号、ログイン識別子）、個人の連絡先情報（たとえば、電子メールアドレス、電話番号、住所など）、機器プロバイダ２０６から入手される電子機器についての情報（たとえば、電子機器のモデル番号、電子機器の一意の識別子（たとえば、最小在庫管理単位、万国製品コード、国際物品番号））、電子機器の１つまたは複数のコンポーネントの製造業者、及びそれらの組合せを含むことができる。
【００３７】
加えて、アカウント情報２３０は、ワイヤレス広域ネットワーク２１４を経由する通信に向けての認証情報など、１つまたは複数のネットワーク２１２を経由する通信に向けて電子機器によって使用される認証情報を含むことができる。例示的な実施態様においては、認証情報はまた、１つまたは複数のパスワードを含むことができる。１つまたは複数のパスワードは、機器プロバイダ２０６とのアカウントに関連する情報にアクセスするのに使用され得る。さらには、１つまたは複数のパスワードは、１つまたは複数のネットワーク２１２を経由する通信のセキュリティを改善するために、１つまたは複数のネットワーク２１２を経由する通信において使用され得る。
【００３８】
アカウント情報２３０はまた、個人が、通信プロバイダから入手した１つまたは複数のプランを示すことができる。通信プロバイダによって入手されるプランは、プランに関連する個人、または個人のグループによって利用される１つまたは複数の電子機器によるワイヤレス広域ネットワークの使用量を指定することができる。ワイヤレス広域ネットワークの使用量は、ワイヤレス広域ネットワークが、プランに関連する１つまたは複数の電子機器によって使用される時間の量、プランに関連する１つまたは複数の電子機器によってワイヤレス広域ネットワークを経由して伝達されるデータの量、またはその両方に関係し得る。追加として、プランは、個人または個人のグループが、ワイヤレス広域ネットワークを経由して通信するのに特定の通信プロバイダを利用すべきである時間期間を指定することができる。
【００３９】
一実施態様においては、個人は、ワイヤレス広域ネットワーク２１４など、ワイヤレス広域ネットワークを経由して通信するための通信プロバイダによって提供されるプランを入手することができる。いくつかの場合においては、個人は、週ベース、月ベース、年ベースなど、定期的ベースで通信プロバイダに定期契約料を支払うことによってプランを入手することができる。加えて、個人は、特定のワイヤレス広域ネットワークの使用量について支払うことによってプランを入手することができる。さらには、プランは、個人によって修正され得る。いくつかのシナリオにおいては、プランは、一時的な時間量の間、修正され得る。たとえば、個人は、個人の自国とは異なる１つまたは複数の国を旅行している間、通信プロバイダとのプランを変更することができる。他の状況においては、個人は、ワイヤレス広域ネットワークの使用量を修正することによって、電子機器がワイヤレス広域ネットワークを経由して使用するのに利用できる機構を修正することによって、ワイヤレス広域ネットワークを経由して通信するのに使用されている電子機器を変更することによって、またはそれらの組合せによって、通信プロバイダとのプランを変更することができる。
【００４０】
アカウント情報２３０は、プランの識別子を使用する個人に関連するプランを示すことができる。追加として、アカウント情報２３０は、個人によって入手されるプランの機構を示すことができる。いくつかの場合においては、機器プロバイダ２０６は、通信プロバイダからアカウント情報２３０の少なくとも一部分を取得することができる。特定の実施態様においては、機器プロバイダ２０６は、通信プロバイダによって提供される１つまたは複数のサービスの使用量を示す使用量情報を通信プロバイダから取得することができる。例示的な実施態様においては、アカウント情報２３０は、ワイヤレス広域ネットワーク２１４を経由して個人もしくは電子機器によって伝達されるデータの量、ワイヤレス広域ネットワーク２１４において個人もしくは電子機器によって消費される時間の量、ワイヤレス広域ネットワーク２１４を経由して個人もしくは電子機器によって伝達される多数のメッセージ、またはそれらの組合せを含むことができる。
【００４１】
ワイヤレス広域ネットワークを介する通信に向けた電子機器の構成設定に関して、電子機器登録モジュール３１０は、電子機器２０２などの電子機器を機器プロバイダ２０６に登録するための、プロセッサ３０４によって実行可能な命令を含むことができる。たとえば、個人２０４が、機器プロバイダ２０６から電子機器２０２を入手した後、電子機器登録モジュール３１０は、電子機器２０２がアクティブ化されたことを示す情報を電子機器２０２から受信することができる。この情報は、インターネット、ワイヤレス広域ネットワーク、及びワイヤレスのローカルエリアネットワークなど１つまたは複数のネットワーク２１２を介して受信され得る。いくつかの場合においては、電子機器２０２から受信される情報は、電子機器２０２がワイヤレス広域ネットワーク、インターネット、またはその両方を経由して通信していることを示す、電子機器２０２からの信号を含むことができる。他の場合においては、この情報は、個人２０４の識別子など、機器プロバイダ２０６との個人２０４のアカウントに関係し得る。
【００４２】
電子機器登録モジュール３１０はまた、電子機器２０２に対応する機器識別子を受信することができる。いくつかの場合においては、個人２０４は、機器プロバイダ２０６から入手される複数の電子機器を有することができ、電子機器２０２は、その複数の電子機器のうちの１つである。様々な実施態様においては、電子機器登録モジュール３１０は、電子機器２０２についてイネーブルにされる、またはディスエーブルにされる電子機器２０２の機構を指定する情報を通信プロバイダに送信することができる。たとえば、相異なる機器プロバイダは、個人による入手に向けて、相異なる機構をイネーブルにした電子機器を製造し、及び／または電子機器を利用可能にすることができる。例示するように、第１の機器プロバイダは、３Ｇワイヤレス広域ネットワークを介する通信から４Ｇワイヤレス広域ネットワークを介する通信に変更するとき、ハンドオーバー機構を利用する電子機器を製造することができ、一方、第２の機器プロバイダは、この機構をイネーブルにしない。そのため、いくつかのシナリオにおいては、電子機器２０２から機器識別子を受信することに少なくとも部分的に応答して、電子機器登録モジュール３１０は、電子機器２０２の機構を確定し、電子機器２０２の機構に関する情報を通信プロバイダに送信することができる。このようにして、通信プロバイダは、イネーブルにされた、及び／またはディスエーブルにされた電子機器２０２の機構に従ってワイヤレス広域ネットワークを経由する電子機器２０２による通信を管理することができる。例示的な実施態様においては、イネーブルにされる、及び／またはディスエーブルにされる電子機器２０２の機構は、通信プロバイダとの個人２０２のプラン、電子機器２０２のコンポーネント（たとえば、ハードウェア、ソフトウェア、ファームウェア）、またはその両方に少なくとも一部基づいていることができる。
【００４３】
特定の実施態様においては、電子機器登録モジュール３１０は、ＳＩＭカード２１６が電子機器２０２内に挿入された後、電子機器２０２から情報を受信することができる。ＳＩＭカード２１６がワイヤレス広域ネットワークコンポーネント２１８の埋込み式コンポーネントであるときの他の実施態様においては、電子機器登録モジュール３１０は、ワイヤレス広域ネットワークコンポーネント２１８のアクティブ化後、情報を電子機器２０２から受信することができる。
【００４４】
アクティブ化情報を電子機器２０２から受信することに応答して、電子機器登録モジュール３１０は、構成設定ファイル２２２を電子機器２０２に送信することができる。構成設定ファイル２２２は、第１の設定２２４及び第２の設定２２６を含むことができる。一実施態様においては、第１の設定２２４は、ワイヤレス広域ネットワーク２１４を介して通信するための第１の通信プロバイダ２０８の仕様に対応することができ、第２の設定２２６は、ワイヤレス広域ネットワーク２１４を介して通信するための第２の通信プロバイダ２１０の仕様に対応することができる。別の実施態様においては、第１の設定２２４は、ワイヤレス広域ネットワーク２１４を介して通信するための第１の通信プロバイダ２０８の第１のプランの仕様に対応することができ、第２の設定２２６は、ワイヤレス広域ネットワーク２１４を介して通信するための第１の通信プロバイダプロバイダ２０８の第２のプランの仕様に対応することができる。
【００４５】
いくつかの実施態様においては、初期の構成設定ファイルは、入手に向けて電子機器２０２を提案する前に、機器プロバイダ２０６によって電子機器２０２上に予め記憶され得る。これらの状況においては、ワイヤレス広域ネットワークコンポーネント２１８は、初期の構成設定ファイルからの設定を利用して、個人２０４による電子機器２０２の初期アクティブ化と同時に、機器プロバイダ２０６との通信を開始することができる。他の場合においては、電子機器２０２は、ワイヤードのローカルエリアネットワーク、またはワイヤレスのローカルエリアネットワークなどのローカルエリアネットワークを経由する機器プロバイダ２０６との通信を確立することができる。このような方式で機器プロバイダ２０６との通信を確立後、電子機器登録モジュール３１０は、構成設定ファイル２２２を電子機器２０２に送信することができる。これらの事例においては、初期の構成設定ファイルは、機器プロバイダ２０６と通信するための電子機器２０２について最小限の量の情報を含むことができ、一方、構成設定ファイル２２２は、ワイヤレス広域ネットワークを経由する通信のための機構の全セットを構成設定するための追加の情報を含む。他の状況においては、構成設定ファイル２２２は、電子機器２０２において予め記憶される初期の構成設定ファイルの更新されたバージョンであってもよい。
【００４６】
一実施態様においては、構成設定ファイルは、ワイヤレス広域ネットワークを経由して通信するための通信プロバイダの仕様を実装するのに通信プロバイダからの情報を使用して、構成設定ファイル生成モジュール３１２によって創出され得る。たとえば、構成設定ファイル生成モジュール３１２は、第１の通信プロバイダ２０８、第２の通信プロバイダ２１０、またはその両方から取得される情報を使用して、構成設定ファイル２２２を生成することができる。いくつかの場合においては、構成設定ファイル生成モジュール３１２は、１つまたは複数の通信プロバイダから仕様を取得し、１つまたは複数の通信プロバイダの仕様に少なくとも部分的に基づいて、ワイヤレス広域ネットワーク２１４を経由して通信するのに使用される機構についての設定を確定することができる。たとえば、構成設定ファイル生成モジュール３１２は、第１の通信プロバイダ２０８から仕様を受信して、３Ｇネットワークと４Ｇネットワークとの間で切り替えるときのハンドオーバー機構を利用することができる。この例を続けると、構成設定ファイル２２２についての設定を生成するとき、構成設定ファイル生成モジュール３１２は、ハンドオーバー機構がイネーブルにされる第１の設定２２４に関して示すことができる。
【００４７】
構成設定ファイル２２０を生成後、通信プロバイダの仕様に対する更新は、通信プロバイダから取得され得る。これらの事例においては、構成設定ファイル更新モジュール３１４は、構成設定ファイル２２２を更新して、構成設定ファイル２２２の更新されたバージョンを創出することができる。いくつかの状況においては、構成設定ファイル２２２に対する更新は、ワイヤレス広域ネットワーク２１４を介して通信するための、通信プロバイダによって公表される仕様に対する変更を示すことができる。たとえば、構成設定ファイル２２２に対する更新は、第１の通信プロバイダ２０８との関連でワイヤレス広域ネットワークを経由して送信される情報が、特定の認証技法を使用して伝達されるべきであることを示すことができる。この例を続けると、構成設定ファイル更新モジュール３１４は、特定の認証技法を実装することに対応する機構が第１の通信プロバイダ２０８に関連する通信についてイネーブルにされることを示すために、構成ファイル２２２を更新することができる。構成設定ファイルの更新されたバージョンはまた、通信プロバイダとの個人のプランに対して変更が行われるとき、電子機器２０２に送信され得る。いくつかの場合においては、プランに対する変更は、通信プロバイダによって開始され得、一方、他の実施態様においては、プランに対する変更は、個人２０４によって開始され得る。
【００４８】
追加として、構成設定ファイル２２２に対する更新は、構成設定ファイル２２２に以前は含まれていなかった仕様を有する追加の通信プロバイダから取得され得る。例示するように、構成設定ファイル更新モジュール３１４は、第３の通信プロバイダ３１８の仕様を取得することができる。これらの状況においては、構成設定ファイル更新モジュール３１４は、ワイヤレス広域ネットワーク２１４を介して通信するのに使用される機構が、第３の通信プロバイダ３１８の仕様に従って、イネーブルにされること、またはディスエーブルにされることを示す設定を構成設定ファイル２２２に追加することができる。いくつの場合においては、構成設定ファイル２２２の更新されたバージョンの中の第３の通信プロバイダ３１８についての設定のうちの１つまたは複数は、第１の通信プロバイダ２０８の１つもしくは複数の設定、及び／または第２の通信プロバイダ２１０の１つもしくは複数の設定と同じであってもよい。他の事例においては、構成設定ファイル２２２の更新されたバージョンの中の第３の通信プロバイダ３１８についての１つまたは複数の設定は、第１の通信プロバイダ２０８の１つもしくは複数の設定、及び／または第２の通信プロバイダ２１０の１つもしくは複数の設定とは異なっていてもよい。
【００４９】
さらには、構成設定ファイル２２２の更新されたバージョンは、クエリを電子機器２０２から受信することに少なくとも部分的に応答して、構成設定ファイル更新モジュール３１４によって電子機器２０２に送信され得る。例示するように、構成設定更新モジュール３１４は、電子機器２０２において記憶されている構成設定ファイル２２２のバージョンがデータストア３１６に記憶されている構成設定ファイル２２２の現在のバージョンに一致するかどうかを確定するために、クエリを電子機器２０２から受信することができる。電子機器２０２において記憶されている構成設定ファイル２２２のバージョンが、構成設定ファイル２２２の現在のバージョンに一致しない場合においては、構成設定ファイル更新モジュール３１４は、構成設定ファイル２２２の更新されたバージョンとして、構成設定ファイル２２２の現在のバージョンを電子機器２０２に送信することができる。
【００５０】
図４は、ワイヤレス通信に向けて電子機器２０２を構成設定するのに使用される構成設定ファイル２２２を受信する電子機器２０２を含むシステム４００を示している。電子機器２０２は、電子機器２０２を使用するコンテンツにアクセスすること、データを記憶すること、及び１つまたは複数のネットワーク２１２を介して通信することに関係するいくつかのコンポーネントを含むことができる。たとえば、電子機器２０２は、代表的なプロセッサ４０２など、１つまたは複数のプロセッサを含むことができる。プロセッサ４０２は、中央処理装置、グラフィックス処理装置、またはその両方など、ハードウェア処理装置を含むことができる。電子機器２０２はまた、入力／出力機器４０４を含むことができる。入力／出力機器４０４は、電子ペーパディスプレイ、液晶ディスプレイ、タッチスクリーンディスプレイ、別のタイプのディスプレイ技術を利用するディスプレイ、またはそれらの組合せなど、１つまたは複数のディスプレイ機器を含むことができる。入力／出力機器４０４はまた、キーパッド、キーボード、ポインタ機器、１つまたは複数のスピーカ、マイクロフォン、１つまたは複数のカメラ、及びそれらの組合せを含むことができる。
【００５１】
追加として、電子機器２０２は、ワイヤレスのローカルエリアネットワークを介して信号を伝達するワイヤレスのローカルエリアネットワークコンポーネント４０６を含むことができる。電子機器２０２はまた、ワイヤレスネットワークを経由して信号を伝達するための１つまたは複数のアンテナ４０８を含むことができる。たとえば、ワイヤレス場所エリアネットワークコンポーネント４０６は、１つまたは複数のアンテナ４０８を利用して、ワイヤレスのローカルエリアネットワークを介して信号を伝達することができる。別の例においては、ワイヤレス広域ネットワークコンポーネント２１８は、１つまたは複数のアンテナ４０８を利用して、ワイヤレス広域ネットワーク２１４など、ワイヤレス広域ネットワークを介して信号を伝達することができる。さらには、電子機器２０２は、１つまたは複数のバッテリなど、１つまたは複数の電源４１０を含むことができる。
【００５２】
一実施態様においては、電子機器２０２は、ワイヤレス広域ネットワークコンポーネント２１８に含まれている第１のコンピュータ可読ストレージ媒体４１２、及び第２のコンピュータ可読ストレージ媒体４１４を含む。第１のコンピュータ可読ストレージ媒体４１２、第２のコンピュータ可読ストレージ媒体４１４、またはその両方は、コンピュータ可読命令、データ構造体、プログラムモジュール、または他のデータなど、情報を記憶するための任意のタイプの技術で実装される揮発性及び不揮発性のメモリ、及び／または取外し可能及び取外し不可能な媒体を含むことができる。第１のコンピュータ可読ストレージ媒体４１２、第２のコンピュータ可読ストレージ媒体４１４、またはその両方は、ＲＡＭ、ＲＯＭ、ＥＥＰＲＯＭ、フラッシュメモリ、もしくは他のメモリ技術、ＣＤ−ＲＯＭ、デジタル多用途ディスク（ＤＶＤ）もしくは他の光学ストレージ、固体ストレージ、磁気ディスクストレージ、取外し可能ストレージ媒体、または所望の情報を記憶するのに使用可能、及び電子機器４０４によってアクセス可能な任意の他の媒体を含むことができるが、これらに限定されない。電子機器１０２の構成設定に応じて、第１のコンピュータ可読ストレージ媒体４１２、第２のコンピュータ可読ストレージ媒体４１４、またはその両方は、有形のコンピュータ可読ストレージ媒体タイプであっても、非一時的ストレージ媒体であってもよい。
【００５３】
ワイヤレス広域ネットワークコンポーネント２１８は、電子機器２０２が、ワイヤレス広域ネットワーク２１４を介する通信に向けて構成設定すべきであるという情報を機器プロバイダ２０６に送信することに少なくとも部分的に応答して、構成設定ファイル２２２を機器プロバイダ２０６から取得することができる。一実施態様においては、ワイヤレス広域ネットワークコンポーネント２１８は、電子機器２０２が登録情報を機器プロバイダ２０６に送信することに少なくとも部分的に応答して、構成設定ファイル２２２を機器プロバイダ２０６から取得することができる。登録情報は、個人２０４が電子機器２０２を機器プロバイダ２０６から入手した後、電子機器２０２から機器プロバイダ２０６に送信され得る。いくつかの場合においては、登録情報は、機器プロバイダ２０６との個人の２０４のアカウント情報、電子機器２０２の識別子、またはその両方を含むことができる。加えて、登録情報は、電子機器２０２に関連する保証を有効にし、電子機器２０２に対して機器プロバイダ２０６によって提供される他のサービスを有効にし、電子機器２０２についての通信サービスを有効にし、またはそれらの組合せを行うように機器プロバイダ２０６に提供され得る。別の実施態様においては、ワイヤレス広域ネットワークコンポーネント２１８は、構成設定ファイル２２２を取得するように、要求を機器プロバイダ２０６に送信することができる。
【００５４】
様々な実施態様においては、電子機器２０２が、ローカルネットワークを介するインターネットへの接続を使用して、ワイヤレス広域ネットワークを介する通信に向けて構成設定すべきであることを示す情報を機器プロバイダ２０６に送信することができる。たとえば、いくつかの場合においては、ワイヤレス広域ネットワークコンポーネント２１８は、ディスエーブルにされ得、インターネットに対するワイヤードのローカルエリアネットワーク接続は、電子機器２０２がワイヤレス広域ネットワーク２１４を経由する通信に向けて構成設定すべきであることを示す情報を機器プロバイダ２０６に伝達するのに使用され得る。他の状況においては、ワイヤレス広域ネットワークコンポーネント２１８は、ディスエーブルにされ得、ワイヤレスのローカルエリアネットワークコンポーネント４０６によって確立されるワイヤレスのローカルエリアネットワーク接続は、電子機器２０２がワイヤレス広域ネットワーク２１４を介する通信に向けて構成設定すべきであることを示す情報を機器プロバイダ２０６に伝達するのに使用され得る。
【００５５】
加えて、いくつかの実施態様においては、第１のコンピュータ可読ストレージ媒体４１２は、ワイヤレス広域ネットワーク４１４を介する通信に向けての設定を含む初期の構成設定ファイルを記憶することができる。いくつかの場合においては、初期の構成設定ファイルは、個人２０４による電子機器２０２の入手前に、機器プロバイダ２０６によって電子機器２０２において予め記憶され得る。初期の構成設定ファイルは、いくつかの場合に、構成設定ファイル２２２の設定のサブセットを含むことができる。たとえば、初期の構成設定ファイルは、電子機器２０２が、ワイヤレス広域ネットワークを介して通信するための最小限の数の設定を含むことができる。第１のコンピュータ可読ストレージ媒体４１２が、初期の構成設定ファイルを記憶している状況においては、構成設定モジュール２２８は、ワイヤレス広域ネットワーク２１４を介する通信に向けて電子機器２０２を構成設定して、構成設定ファイル２２２を機器プロバイダ２０６から取得することができる。例示するように、電子機器２０２についての登録情報、構成設定ファイル２２２を求める要求、またはその両方は、構成設定モジュール２２８が、初期の構成設定ファイルに従ってワイヤレス通信に向けて電子機器２０２を構成設定した後、機器プロバイダ２０６に送信され得る。初期の構成設定ファイルを使用して、構成設定ファイル２２２を取得した後には、構成設定モジュール２２８は、構成設定ファイル２２２の設定に従って電子機器２０２を構成設定することができる。いくつかの実施態様においては、構成設定ファイル２２２は、ワイヤレス広域ネットワーク２１４を経由する通信に向けて増加した数の設定、ワイヤレス広域ネットワーク２１４を経由する通信に向けて更新された設定、またはその両方を含むことができる。
【００５６】
一実施態様においては、構成設定モジュール２２８は、電子機器２０２において記憶されている構成設定ファイル２２２のバージョンが機器プロバイダ２０６よって記憶されている構成設定ファイル２２２の現在のバージョンに一致するかどうかを確定するために、クエリを機器プロバイダ２０６に送信することができる。いくつかの場合においては、クエリは、電子機器２０２の初始動と同時に機器プロバイダ２０６に送信されて、個人２０４によって入手される前の電子機器２０２において記憶されている構成設定ファイル２２２のバージョンが、構成設定ファイル２２２の現在のバージョンに一致するかどうかを確定することができる。他の状況においては、構成設定モジュール２２８は、以前のクエリが機器プロバイダ２０６に送信されてから指定された時間期間が経過した後、クエリを機器プロバイダ２０６に送信することができる。さらなる追加的な事例においては、構成設定モジュール２２８は、ワイヤレス広域ネットワーク２１４を経由する通信に関する電子機器２０２の性能が、閾値性能を下回って落ちるとき、クエリを機器２０６に送信することができる。たとえば、指定された数の落ちた呼、ワイヤレス広域ネットワーク２１４を経由して伝達されたデータ速度、及び他の基準は、ワイヤレス広域ネットワーク２１４を経由する通信に関する電子機器２０２の性能が、閾値性能を下回って落ちることを確定するのに使用され得る。
【００５７】
いくつかの場合においては、構成設定モジュール２２８は、ワイヤレス広域ネットワーク２１４を介する通信に向けて電子機器２０２を構成設定するためのコマンドを受信することに少なくとも部分的に応答して、ワイヤレス広域ネットワーク２１４を介する通信に向けてワイヤレス広域ネットワークコンポーネント２１８を構成設定することができる。一実施態様においては、ワイヤレス広域ネットワーク２１４を介する通信に向けて電子機器２０２を構成設定するためのコマンドは、機器プロバイダ２０６から個人２０４によって入手された後、電子機器２０２の初期のアクティブ化に少なくとも部分的に応答して、構成設定モジュール２２８によって受信され得る。別の実施態様においては、ワイヤレス通信に向けて電子機器２０２を構成設定するためのコマンドは、ＳＩＭカード２１６が、ワイヤレス広域ネットワークコンポーネント２１８によって初めて検出されることに少なくとも部分的に応答して、構成設定モジュール２２８によって受信され得る。特定の実施態様においては、ワイヤレス広域ネットワーク２１４を経由する通信に向けて電子機器２０２を構成設定するためのコマンドは、新規ＳＩＭカードが、ワイヤレス広域ネットワークコンポーネント２１８によって検出されるたびに、構成設定モジュール２２８によって受信され得る。ＳＩＭカード２１６が取外し可能である状況においては、ワイヤレス広域ネットワークコンポーネント２１８を構成設定するための信号は、ＳＩＭカード２１６が、電子機器２０２のスロット内に挿入され、ワイヤレス広域ネットワークコンポーネント２１８のインターフェースに接触するとき、創出され得る。ＳＩＭカード２１６が取外し不可能であるである場合においては、ワイヤレス広域ネットワークコンポーネント２１８を構成設定するための信号は、ＳＩＭカード２１６が、ワイヤレス広域ネットワーク２１４を介して通信するための相異なる仕様に従って再プログラミングされるとき、創出され得る。
【００５８】
ワイヤレス通信に向けて電子機器２０２を構成設定するためのコマンドはまた、電子機器２０２と機器プロバイダ２０６との間の登録処理中に、ワイヤレス広域ネットワークコンポーネント２１８によって検出され得る。別の説明のための例においては、ワイヤレス通信に向けて電子機器２０２を構成設定するためのコマンドは、ワイヤレス広域ネットワークを介して通信するのに電子機器２０２によって利用される通信プロバイダが変更するとき、通信プロバイダとの個人２０４のプランが変更するとき、またはその両方のとき、検出され得る。別の実施態様においては、構成設定モジュール２２８は、構成設定ファイル２２２の初期のバージョンを機器プロバイダ２０６から取得することに少なくとも部分的に応答して、ワイヤレス広域ネットワーク２１４を介する通信に向けて電子機器２０２を構成設定するためのコマンドを受信することができる。さらには、構成設定モジュール２２８は、構成設定ファイル２２２の更新されたバージョンを機器プロバイダ２０６から取得することに少なくとも部分的に応答して、ワイヤレス広域ネットワーク２１４を介する通信に向けて電子機器２０２を構成設定するためのコマンドを受信することができる。
【００５９】
構成設定モジュール２２８は、ワイヤレス通信に向けて電子機器２０２を構成設定するために、１つまたは複数のプロセッサ４０２によって実行可能なコンピュータ可読命令を含むことができる。一実施態様においては、構成設定モジュール２２８は、構成設定ファイル２２２からの情報にアクセスし、構成設定ファイル２２２の中の設定に従ってワイヤレス広域ネットワーク２１４を経由して信号を伝達するようにワイヤレス広域ネットワークコンポーネント２１８を構成設定することができる。一実施態様においては、構成設定モジュール２２８は、ワイヤレス広域ネットワーク２１４を介する通信を提供するための通信プロバイダを確定することができる。たとえば、構成設定モジュール２２８は、ＳＩＭカード２１６において記憶されている情報にアクセスして、ワイヤレス広域ネットワーク２１４を経由する通信を提供するための通信プロバイダを識別することができる。例示するように、ＳＩＭカード２１６は、第１の通信プロバイダ２０８の識別子、または第２の通信プロバイダ２１０の識別子など、ワイヤレス広域ネットワーク２１４を介する通信を提供するための通信プロバイダの識別子を記憶することができる。
【００６０】
ワイヤレス広域ネットワーク２１４を介する通信を提供するための通信プロバイダを確定することに少なくとも部分的に応答して、構成設定モジュール２２８は、確定された通信プロバイダの設定に対応する構成設定ファイル２２２の中の情報にアクセスし、識別された設定に従って電子機器２０２を構成設定することができる。例示するように、ＳＩＭカード２１６から第１の通信プロバイダ２０８の識別子を取得後、構成設定モジュール２２８は、構成設定ファイル２２２の第１の設定２２４にアクセスすることができる。次いで、構成設定モジュール２２８は、第１の設定２２４に従って電子機器２０２を構成設定することができる。例示的な実施態様においては、構成設定モジュール２２８は、第１の設定２２４にアクセスし、第１の設定２２４のコピーを作成して、ワイヤレス広域ネットワークコンポーネント２１８のキャッシュに記憶することができる。
【００６１】
一実施態様においては、構成設定モジュール２２８はまた、ワイヤレス広域ネットワークコンポーネント２１６の機構に関する情報を第１の通信プロバイダ２０８に提供することができる。いくつかの場合においては、構成設定モジュール２２８は、イネーブルにされるワイヤレス広域ネットワークコンポーネント２１６の機構、ディスエーブルにされるワイヤレス広域ネットワークコンポーネント２１６の機構、またはその両方を示すビットマップを創出することができる。たとえば、ビットマップの各ビットは、ワイヤレス広域ネットワークコンポーネント２１６の特定の機構に対応することができ、ビットは、機構がイネーブルにされるのか否か、またはディスエーブルにされるのか否かに応じて、１または０に設定され得る。例示するように、ビットマップは、支援型ＧＰＳサポート機構について１つのビットを含むことができ、そのビットは、支援型ＧＰＳサポート機構がイネーブルにされるときは、１に設定され得、支援型ＧＰＳサポート機構がディスエーブルにされるときは、０に設定され得る。このようにして、第１の通信プロバイダ２０８は、ワイヤレス広域ネットワーク２０４を経由する電子機器２０２の通信を管理するとき、ビットマップに含まれている情報を利用することができる。様々な実施態様においては、ワイヤレス広域ネットワークコンポーネント２１６は、ビットマップに含まれている情報に基づいて、ワイヤレス広域ネットワーク２１４を介する通信に関する機構をイネーブルにする、またはディスエーブルにするためのコマンドを通信プロバイダから受信することができる。
【００６２】
いくつかの実施態様においては、構成設定モジュール２２８は、構成設定ファイル２２２によって指定される機構を実装するために、ワイヤレス広域ネットワーク２１４を経由する電子機器２０２による通信に特定の情報を含むことができる。いくつかの場合においては、構成設定ファイル２２２の中の情報に従って、構成設定モジュール２２８は、ワイヤレス広域ネットワーク２１４を経由する電子機器２０２による通信に関して認証技法を実装するために、ワイヤレス広域ネットワーク２１４を経由する通信に特定のデータを含むことができる。他の状況においては、構成設定モジュール２２８は、ワイヤレス広域ネットワーク２１４を経由する電子機器２０２による通信の効率性を改善するために、通信技法を実装することができる。例示するように、構成設定モジュール２２８は、ワイヤレス広域ネットワーク２１４を経由する電子機器２０２による通信における情報量を減らすこと、ワイヤレス広域ネットワーク２１４を経由する電子機器２０２による通信に特定の経路指定情報を含むこと、またはその両方を行うことができる。加えて、構成設定モジュール２２８は、電子機器２０２の電力消費を改善させる方式でワイヤレス広域ネットワーク２１４を介して通信するように構成設定ファイル２２２の中の情報に従って電子機器２０２を構成設定することができる。
【００６３】
例示的な実施態様においては、構成設定モジュール２２８は、ワイヤレス広域ネットワーク２１４を経由する通信に関係している指定された条件を検出することに少なくとも部分的に応答して、ワイヤレス広域ネットワークコンポーネント２１６のキャッシュからの、またはワイヤレス広域ネットワークコンポーネント２１６の不揮発性メモリからの構成設定ファイル２２２の情報にアクセスすることができる。たとえば、構成設定モジュール２２８は、ワイヤレス広域ネットワークコンポーネント２１６の通信に向けて特定の機構を実装すべきであるか否かを確定することに関係している条件を検出することができる。例示するように、構成設定モジュール２２８は、ハンドオーバー機構が、３Ｇワイヤレス広域ネットワークを介する通信から４Ｇワイヤレス広域ネットワークを介する通信に変更するとき、実装すべきであるかどうかを確定するために、構成設定ファイル２２２の設定のキャッシュされたコピーにアクセスすることができる。この状況においては、構成設定モジュール２２８は、４Ｇワイヤレス広域ネットワークを介する通信が利用可能な領域内に電子機器２０２が移動したことを示す情報を受信することができ、それに応答して、構成設定モジュール２２８は、ハンドオーバー機構を実装すべきであるか否かを確定するために、構成設定ファイル２２２のキャッシュされた設定にアクセスすることができる。別の例示においては、構成設定モジュール２２８は、音声呼が起動していることを示す情報を受信することができ、それに応答して、構成設定モジュール２２８は、ボイスオーバーインターネットプロトコル（ＶｏＩＰ）呼がサポートされるかどうかを確定するために、構成設定ファイル２２２のキャッシュされた設定にアクセスすることができる。
【００６４】
いくつかの実施態様においては、構成設定ファイル２２２の設定は、ワイヤレス広域ネットワーク２１４を経由する通信に使用される機構が、イネーブルにされること、またはディスエーブルにされることを示すことができる。これらの場合においては、構成設定モジュール２２８は、特定の機構を実装すべきであるか否かを、機構が実装され得る条件を検出するときに確定するために、構成設定ファイル２２２の設定にアクセスすることができる。１つの例においては、構成設定ファイル２２２の設定は、電子機器２０２が３Ｇワイヤレス広域ネットワークを介する通信から４Ｇワイヤレス広域ネットワークを介する通信に変更するとき、電子機器２０２が４Ｇワイヤレス広域ネットワークを介する通信から３Ｇワイヤレス広域ネットワークを介する通信に変更するとき、またはその両方のとき、ハンドオーバー機構が、イネーブルにされるかどうかを示すことができる。別の例においては、構成設定ファイル２２２は、ＶｏＩＰ呼び出しがイネーブルにされるかどうかを示すことができる。追加的な例においては、構成設定ファイル２２２は、支援型ＧＰＳサポートが、電子機器２０２の場所を確定するために、ワイヤレス広域ネットワークデータ、ならびにＧＰＳデータを利用するようにイネーブルにされるかどうかを示すことができる。さらなる例においては、構成設定ファイル２２２は、ワイヤレス広域ネットワーク２１４を介して情報を伝達するために、高速ダウンリンクパケットアクセス（ＨＳＰＤＡ）がワイヤレス広域ネットワークコンポーネント２１６についてイネーブルにされるかどうか、及び／または高速アップリンクパケットアクセス（ＨＳＵＰＡ）がワイヤレス広域ネットワークコンポーネント２１６についてイネーブルにされるかどうかを示すことができる。さらに別の例においては、構成設定ファイル２２２は、デュアルキャリアＨＳＤＰＡ、デュアルキャリアＨＳＵＰＡ、またはその両方が、ワイヤレス広域ネットワーク２１４を介して情報を伝達するためにイネーブルにされるかどうかを示すことができる。他の例においては、構成設定ファイル２２２は、持続的なパケット接続性が、ワイヤレス広域ネットワーク２１４を介して情報を伝達するために、及び／または電子機器２０２の電力消費を調節するために、ワイヤレス広域ネットワークコンポーネント２１６によってサポートされるかどうかを示すことができる。様々な例においては、構成設定ファイル２２２は、自動応答機構が、電子機器２０２との通信においてワイヤレスのローカルエリアネットワーク機器による呼の自動応答に関してイネーブルにされるかどうかを示すことができる。
【００６５】
他の状況においては、構成設定ファイル２２２の設定は、ワイヤレス広域ネットワーク２１４を介する通信においてワイヤレス広域ネットワークコンポーネント２１６によって使用されるデータを含むことができる。これらの事例においては、構成設定モジュール２２８は、適切な環境においてデータを利用することができる。一例においては、構成設定ファイル２２２は、ワイヤレス広域ネットワークコンポーネント２１６によってサポートされる暗号化アルゴリズムを示すことができる。別の例においては、構成設定ファイル２２２は、ワイヤレス広域ネットワーク２１４を介して通信すべきショートメッセージサービス（ＳＭＳ）再試行期間、ＳＭＳ再試行間隔、ＳＭＳの最大数、またはそれらの組合せなど、メッセージング情報を示すことができる。メッセージング情報に関しては、構成設定ファイル２２２はまた、回線交換方式メッセージ、パケット交換方式メッセージ、及び／またはインターネットプロトコルマルチメディアサブシステム（ＩＭＳ）メッセージングについての選好を示すことができる。追加的な例においては、構成設定ファイル２２２は、ＬＴＥワイヤレス広域ネットワークの使用法、ＣＤＭＡワイヤレス広域ネットワークの使用法、及び／またはＧＳＭワイヤレス広域ネットワークの使用法に対する優先度など、ネットワーク使用法についての優先度を示すことができる。構成設定ファイル２２２はまた、たとえばＬＴＥ、ＣＤＭＡ、及び／またはＧＳＭによってサポートされる無線アクセス技術を示すことができる。さらなる例においては、構成設定ファイル２２２は、汎用パケット無線サービス（ＧＰＲＳ）ネットワークに向けたマルチスロットクラス、ＧＳＭ進化型高速データレート（ＥＤＧＥ）ネットワークに向けたマルチスロットクラス、またはワイヤレス広域ネットワーク２１４を介するデータ通信に向けたその両方を示すことができる。さらなる別の例においては、構成設定ファイル２２２は、リリース９９、リリース６、及びリリース７などの第３世代パートナーシッププロジェクト（３ＧＰＰ）仕様バージョンを示すことができる。いくつかの例においては、構成設定ファイル２２２はまた、ワイヤレス広域ネットワークを介する通信に向けた音声またはデータのサービスドメイン選好を示すことができる。他の例においては、構成設定ファイル２２２は、ワイヤレス広域ネットワーク２１４を経由する通信に向けた好ましい周波数バンドサポートスペクトルを示すことができる。
【００６６】
信号変調／復調コンポーネント４１６は、ワイヤレスで信号を伝達するための、１つまたは複数のプロセッサによって実行可能なコンピュータ可読命令を含むことができる。信号変調／復調コンポーネント４１６は、ソフトウェア、ファームウェア、またはその両方を含むことができる。いくつかの実施態様においては、信号変調／復調コンポーネント４１６は、構成設定ファイル２２２に含まれている情報に従って構成設定モジュール２２８によって構成設定され得る。たとえば、信号変調／復調コンポーネント４１６は、１つまたは複数の通信プロバイダによって指定される機構を実装するために、ワイヤレス広域ネットワークを経由して信号を送信する、及び／または受信するように、構成設定モジュール２２８によって構成設定され得る。例示的な実施態様においては、信号変調／復調コンポーネント４１６は、モデムを含む。
【００６７】
第２のコンピュータ可読ストレージ媒体４１４は、オペレーティングシステム４１８及び１つまたは複数のアプリケーション４２０など、１つまたは複数のプロセッサ４０２において実行可能な任意の数の機能コンポーネントを記憶するのに使用され得る。第２のコンピュータ可読ストレージ媒体４１４はまた、電子書籍、オーディオ書籍、音楽ビデオ、及び静止画像などのコンテンツ項目４２２を記憶することができる。いくつかの場合においては、１つまたは複数のアプリケーション４２０は、電子機器１０２のディスプレイ機器における表示に向けて、コンテンツ項目４２２のうちのいくつかをレンダリングすることができる。例としては、１つまたは複数のアプリケーションは、テキストの電子書籍をレンダリングするための電子書籍リーダアプリケーションを含むことができる。他の場合においては、１つまたは複数のアプリケーション４２０は、オーディオ書籍または歌曲を再生するためのオーディオプレイヤ、及びビデオを再生するためのビデオプレイヤなどを含むことができる。
【００６８】
図５、図６、及び図７は、いくつかの実施態様に従って、ワイヤレス通信に向けて電子機器を構成設定するための例示的な方法を示す流れ図である。方法は、一連の動作を表す論理的流れ図におけるブロックの集合として示されており、そのうちの一部またはすべてが、ハードウェア、ソフトウェア、またはそれらの組合せで実装され得る。ソフトウェアの文脈においては、ブロックは、１つまたは複数のコンピュータ可読媒体において記憶されているコンピュータ実行可能命令を表し、このコンピュータ実行可能命令は、１つまたは複数のプロセッサによって実行されるとき、列挙した動作を行う。概して、コンピュータ実行可能命令は、特定の機能を行う、または特定の抽象データ型を実装するルーチン、プログラム、オブジェクト、コンポーネント、及びデータ構造体などを含む。動作が説明される順序は、限定と解釈すべきではない。任意の数の説明のブロックは、方法、または代替の方法を実装するために、任意の順序及び／または並行して組合せ可能であり、必ずしもすべてのブロックが、実行される必要はない。論じる目的として、本明細書における方法を、本明細書における諸例において説明されるフレームワーク、アーキテクチャ、及び環境に関して説明しているが、方法は、幅広い多様な他のフレームワーク、アーキテクチャ、または環境において実装され得る。
【００６９】
図５は、ワイヤレス通信に向けて電子機器を構成設定するための例示的な方法５００の流れ図を示している。５０２においては、方法５００は、電子機器が、通信プロバイダの１つまたは複数の仕様に従ってワイヤレス広域ネットワークを経由して通信すべきであることを確定することを含む。いくつかの場合においては、ワイヤレス広域ネットワークを経由する通信は、通信プロバイダを用いるものとすることができる。通信はまた、電話呼、電子メッセージ（たとえば、ＳＭＳメッセージ）、ならびにコンテンツ（たとえば、ビデオコンテンツ、オーディオコンテンツ、画像コンテンツ、及びアプリケーションコンテンツなど）などに関係し得る。
【００７０】
一実施態様においては、通信プロバイダは、加入者識別モジュール（ＳＩＭ）カードにおいて記憶されている情報に基づいて、確定され得る。たとえば、ＳＩＭカードは、通信プロバイダの識別子を含むことができ、電子機器は、ワイヤレス広域ネットワークを経由する通信が、ＳＩＭカードにおいて記憶されている通信プロバイダの識別子に基づいて、通信プロバイダに関連する機構を使用して行われるべきであることを確定することができる。様々な実施態様においては、電子機器は、ＳＩＭカードが電子機器内に挿入されたことを確定することに少なくとも部分的に応答して、ＳＩＭカードにおいて記憶されている情報から通信プロバイダを識別することができる。
【００７１】
いくつかの場合においては、ＳＩＭカードは、追加の情報を記憶することができる。例示するように、ＳＩＭカードは、ＳＩＭカードを識別する一意のシリアル番号（ＩＣＣＩＤ）を記憶することができる。ＳＩＭカードはまた、ワイヤレス広域ネットワーク上の電子機器のユーザを識別するために、国際モバイル加入者識別子（ＩＭＳＩ）を記憶することができる。ＳＩＭカードはまた、セキュリティ認証及び暗号化情報（たとえば、電子機器を使用する個人の個人識別番号（ＰＩＮ）、ＰＩＮをロック解除またはリセットするためのコードなど）、ワイヤレス広域ネットワークを介する通信に関係している一時的な情報、電子機器がアクセスすることができるサービスのリスト、またはそれらの組合せを記憶することができる。
【００７２】
５０４においては、方法５００は、電子機器において記憶されている構成設定ファイルから電子機器のモデムについての設定を確定することを含む。設定は、通信プロバイダの仕様に従ってワイヤレス広域ネットワークを経由して通信するのにモデムによって使用される設定とすることができる。一実施態様においては、設定は、第１の機構がワイヤレス広域ネットワークを経由して通信する際にモデムによってイネーブルにされ、利用されるべきであることを示すことができる。加えて、設定は、第２の機構がワイヤレス広域ネットワークを経由して通信する際にモデムによってディスエーブルにされるべきであることを示すことができる。例示的な実施態様においては、第１の機構は、ワイヤレス広域ネットワークを経由するモデムの通信を認証するための認証機構とすることができ、第２の機構は、第４世代（４Ｇ）ワイヤレス広域ネットワークを経由する通信から、第３世代（３Ｇ）ワイヤレス広域ネットワークを経由する通信に切り替えるのにモデムによって使用されるハンドオーバー手順とすることができる。
【００７３】
電子機器は、機器プロバイダへの登録方法の一部として機器プロバイダに個人のアカウント情報を送信後、機器プロバイダから構成設定ファイルを取得することができる。アカウント情報は、個人が、機器プロバイダから電子機器を入手したことを示すことができる。アカウント情報はまた、機器プロバイダとの個人の識別子、電子機器の識別子、電子機器に関係している追加の情報、またはそれらの組合せを示すことができる。
【００７４】
５０６においては、方法５００は、構成設定ファイルの設定に従ってワイヤレス広域ネットワークを経由して通信するようにモデムを構成設定することを含む。設定に従ってワイヤレス広域ネットワークを経由して通信するようにモデムを構成設定することは、１つまたは複数の機構を使用して通信するようにモデムをイネーブルにすること、１つまたは複数の追加の機構を使用してワイヤレス広域ネットワークを経由した通信をしないようにモデムをディスエーブルにすること、またはその両方を含むことができる。一実施態様においては、モデムは、構成設定ファイルの設定に従ってワイヤレス広域ネットワークを経由して通信するようにモデムを構成設定後、リブートされ得る。
【００７５】
いくつかの場合においては、モデムは、機器プロバイダから受信した更新された構成設定ファイルに従って構成設定され得る。更新された構成設定ファイルは、通信プロバイダの更新された仕様に従ってワイヤレス広域ネットワークを経由して通信するようにモデムを構成設定するために、更新された設定を含むことができる。いくつかの場合においては、更新された構成設定ファイルは、複数の通信プロバイダについての更新された設定を含むことができる。他の状況においては、更新された構成設定ファイルは、新規に追加された通信プロバイダについての設定を含むことができる。
【００７６】
図６は、構成設定ファイルを取得する、及び構成設定ファイルを使用してワイヤレス通信に向けて電子機器を構成設定するための例示的な方法６００の流れ図を示している。６０２においては、方法６００は、電子機器において記憶されている構成設定ファイルのバージョンが、構成設定ファイルの現在のバージョンに一致することを確定することを含む。構成設定ファイルは、ワイヤレス広域ネットワークを経由して通信するように電子機器のモデムを構成設定するのに使用され得る。他の実施態様においては、電子機器は、電子機器において記憶されている構成設定ファイルのバージョンが、構成設定ファイルの現在のバージョンに一致しないことを確定することができる。いくつかの場合においては、電子機器は、電子機器によって記憶されている構成設定ファイルのバージョンが、個人に電子機器を提供した機器プロバイダにクエリを送信することによって、構成設定ファイルの現在のバージョンに一致するか否かに関する確定を行うことができる。
【００７７】
構成設定ファイルは、第１の通信プロバイダの第１の仕様に従ってワイヤレス広域ネットワークを介して通信するようにモデムを構成設定するための第１の設定、及び第２の通信プロバイダの第２の仕様に従ってワイヤレス広域ネットワークを介して通信するようにモデムを構成設定するための第２の設定を含むことができる。一実施態様においては、第２の設定のうちの少なくとも１つは、第１の設定のうちの少なくとも１つとは異なっていてよい。一実施態様においては、電子機器は、個人が電子機器を入手した機器プロバイダから構成設定ファイルを取得することができる。様々な状況においては、機器プロバイダは、相手先商標製品製造会社（ＯＥＭ）であってよい。いくつかの場合においては、構成設定ファイルは、ワイヤレスのローカルエリアネットワークとの接続を確立後、機器プロバイダから取得され得る。加えて、構成設定ファイルは、ログイン情報及び機器識別子を機器プロバイダに送信後、取得され得る。ログイン情報は、機器プロバイダとの個人のアカウントに関連していることができ、機器識別子は、電子機器を一意に識別することができる。
【００７８】
６０４においては、方法６００は、ＳＩＭカードが電子機器内に挿入されたことを確定することを含む。いくつかの実施態様においては、ＳＩＭカードは、ワイヤレス広域ネットワークを経由して通信することに関するサービスを提供する通信プロバイダに関連し得る。様々な実施態様においては、ＳＩＭカードは、電子機器が機器プロバイダから入手された後、電子機器内に挿入されてもよい。例示的な実施態様においては、電子機器は、電子機器に初めて電源投入すると同時に、電子機器内にＳＩＭカードを挿入するよう個人に促すように、１つまたは複数のユーザインターフェースを提供することができる。
【００７９】
６０６においては、方法６００は、モデムが、ＳＩＭカードの識別子に少なくとも一部基づいて、第１の通信プロバイダの第１の仕様に従ってワイヤレス広域ネットワークを介して通信すべきであることを確定することを含む。一実施態様においては、電子機器は、ＳＩＭカードにおいて記憶されている識別子に従って複数の通信プロバイダの中から通信プロバイダを識別することができる。特定の実施態様においては、電子機器は、ＳＩＭカードにおいて記憶されている識別子を、電子機器の別のファイルに記憶されている通信プロバイダの識別子に一致させることができる。
【００８０】
６０８においては、方法６００は、モデムの不揮発性メモリに構成設定ファイルからの特定の通信プロバイダの仕様に関係している設定を記憶することを含む。いくつかの場合においては、設定は、構成設定ファイルにおいて識別され、次いで、構成設定ファイルから取り出され得る。例示的な実施態様においては、特定の通信プロバイダの設定は、構成設定ファイルに含まれている設定の一部分を表すことができる。特定の実施態様においては、通信プロバイダに関連する設定は、モデムの不揮発性メモリの、設定集まりとも呼ばれる、設定データ構造体に記憶され得る。いくつかのシナリオにおいては、データ構造体に記憶されている設定は、モデムのキャッシュにコピーされ得る。加えて、設定は、電子機器がオンにされるときなど、電子機器の電源が入れられることに応答して、不揮発性メモリのキャッシュにコピーされ得る。
【００８１】
６１０においては、方法６００は、モデムの不揮発性メモリに記憶されている設定に従ってモデルを構成設定することを含む。一実施態様においては、不揮発性メモリに記憶されている設定に従って通信するようにモデムを構成設定することは、通信技法を使用しないようにモデムをディスエーブルにすることを含むことができる。加えて、不揮発性メモリに記憶されている設定に従って通信するようにモデムを構成設定することは、指定された通信技法を使用するようにモデムをイネーブルにすることを含むことができる。特定の実施態様においては、モデムは、モデムのキャッシュされた設定にアクセスすること、及び１つまたは複数の機構が、キャッシュされた設定に従ってイネーブルにされるか、それともディスエーブルにされるかを確定することよって、設定に従って通信するように構成設定され得る。
【００８２】
いくつかの場合においては、通信プロバイダの設定に従ってモデムを構成設定後、ＳＩＭカードは、電子機器から取り外され得、別のＳＩＭカードが電子機器内に挿入され得る。一実施態様においては、新規ＳＩＭカードは、追加の通信プロバイダに関連し得る。例示的な実施態様においては、新規ＳＩＭカードは、追加の通信プロバイダの識別子を含むことができる。加えて、追加の通信プロバイダは、ワイヤレス広域ネットワークを介して通信するための相異なる仕様を有することができる。したがって、構成設定ファイルは、初期の通信プロバイダについての設定とは異なる追加の通信プロバイダについての設定を含むことができる。追加の通信プロバイダの設定は、電子機器の不揮発性メモリに記憶され得、電子機器は、続けて、追加の通信プロバイダの設定に従って電子機器のモデムを構成設定することができる。いくつかの実施態様においては、追加の通信プロバイダの設定を使用する通信に向けて電子機器を構成設定することによって、初期の通信プロバイダの設定を使用して通信するときにイネーブルにされたいくつかの機構が、ディスエーブルにされ得る。他の実施態様においては、初期の通信プロバイダの設定を使用して通信するときに以前、ディスエーブルにされた機構が、追加の通信プロバイダの設定を使用して通信するとき、イネーブルにされ得る。さらには、いくつかの事例においては、新規ＳＩＭカードは、電子機器から取り外され得、初期のＳＩＭカードは、電子機器内に再挿入され得る。これらの状況においては、モデムは、初期の通信プロバイダに関連する設定に従って再構成設定され得る。
【００８３】
図７は、ワイヤレス通信に向けて電子機器を構成設定するための構成設定ファイルを生成して電子機器に提供するための例示的な方法７００の流れ図を示している。７０２においては、方法７００は、機器プロバイダがワイヤレス広域ネットワークを経由して通信するように電子機器を構成設定するための設定を通信プロバイダから取得することを含む。いくつかの場合においては、機器プロバイダは、各通信プロバイダに、それぞれの通信プロバイダの仕様を実装するのに使用される設定を求める要求を送信することができる。他の状況においては、機器プロバイダは、要求を送信することなく、設定を通信プロバイダから受信することができる。
【００８４】
７０４においては、方法７００は、設定を含む構成設定ファイルを生成することを含む。様々な実施態様においては、機器プロバイダは、複数の通信プロバイダの設定を含む単一の構成設定ファイルを生成することができる。いくつのシナリオにおいては、機器プロバイダは、いくつかの通信プロバイダのうちのそれぞれの通信プロバイダごとの設定を含む単一の構成設定ファイルを生成することができる。
【００８５】
７０６においては、方法７００は、電子機器が、個人によって入手されたことを確定することを含む。たとえば、機器プロバイダは、個人が登録情報を電子機器から受信することに少なくとも部分的に応答して、電子機器を入手したことを確定することができる。いくつかの場合においては、登録情報は、機器プロバイダとの個人のアカウントに関連する情報を含むことができる。
【００８６】
７０８においては、方法７００は、電子機器のモデムがアクティブ化されたという指示を受信することを含む。モデムがアクティブ化される前、電子機器は、ワイヤレス広域ネットワークを介して通信することは不可能とすることができる。モデムをアクティブ化することによって、電子機器は、モデムを構成設定し、ワイヤレス広域ネットワークを介する通信をイネーブルにするための手順を開始することができる。いくつかの場合においては、モデムは、電子機器に初めて電源投入することによってアクティブ化され得る。
【００８７】
７１０においては、方法７００は、構成設定ファイルを電子機器に送信することを含む。一実施態様においては、機器プロバイダは、全構成設定ファイルを電子機器に送信することができる。他の実施態様においては、機器プロバイダは、構成設定ファイルの一部分を電子機器に送信することができる。なおも他の実施態様においては、機器プロバイダは、構成設定ファイルの遠隔に記憶されたバージョンにアクセスするのに利用され得る情報を電子機器に送信することができる。たとえば、機器プロバイダは、構成設定ファイルの少なくとも一部分についてのストレージ場所を電子機器に送信することができる。別の例においては、機器プロバイダは、電子機器が構成設定ファイルの少なくとも一部分にアクセスするのに利用され得るキーなどの認証情報を電子機器に送信することができる。
【００８８】
本開示の実施形態は、以下の条項を考慮して説明され得る。
１．  １つまたは複数のプロセッサと、
第１の通信プロバイダの識別子を含む加入者識別モジュール（ＳＩＭ）カードと、
ワイヤレス広域ネットワークを介して通信するためのモデムであって、不揮発性メモリを含む、前記モデムと、
１つまたは複数のコンピュータ可読ストレージ媒体と
を含む、ポータブル電子機器であって、前記１つまたは複数のコンピュータ可読ストレージ媒体が、
前記第１の通信プロバイダの第１の仕様に従って前記ワイヤレス広域ネットワークを介して通信するように前記モデムを構成設定するための第１の設定、及び第２の通信プロバイダの第２の仕様に従って前記ワイヤレス広域ネットワークを介して通信するように前記モデムを構成設定するための第２の設定を含む構成設定ファイルであって、前記第２の設定のうちの少なくとも１つが、前記第１の設定のうちの少なくとも１つとは異なる、前記構成設定ファイル、ならびに
動作を行うように前記１つまたは複数のプロセッサによって実行可能な命令
を記憶し、
前記動作が、
前記構成設定ファイルのバージョンが前記構成設定ファイルの現在のバージョンに一致することを確定すること、
前記ＳＩＭカードが当該ポータブル電子機器内に挿入されたことを確定すること、
前記第１の通信プロバイダの前記識別子に少なくとも一部基づいて、前記モデムが、前記第１の通信プロバイダの前記第１の仕様に従って前記ワイヤレス広域ネットワークを介して通信すべきであることを確定すること、
前記第１の設定を前記モデムの前記不揮発性メモリに記憶すること、及び
前記第１の設定に従って前記ワイヤレス広域ネットワークを介して通信するように前記モデムを構成設定すること
を含む、
前記ポータブル電子機器。
【００８９】
２．  前記動作が、
ワイヤレスのローカルエリアネットワークに接続されること、
前記ワイヤレスのローカルエリアネットワークを介して当該ポータブル電子機器の相手先商標製品製造会社（ＯＥＭ）にログイン情報及び機器識別子を送信することであって、前記ログイン情報が、前記ＯＥＭとの個人のアカウントに関連しており、前記機器識別子が、当該ポータブル電子機器を一意に識別する、前記送信すること
をさらに含む、条項１に記載のポータブル電子機器。
【００９０】
３．  前記第１の設定を前記不揮発性メモリに記憶することが、前記第１の設定を前記不揮発性メモリの設定データ構造体に記憶することを含み、前記動作が、
当該ポータブル電子機器がオンにされたことを確定すること、
前記第１の設定を前記設定データ構造体から前記モデムのキャッシュにコピーすること、
前記モデムの前記キャッシュに記憶される情報にアクセスすること、
前記第１の仕様の機構が、前記アクセスされた情報に少なくとも一部基づいて、イネーブルにされることを確定すること、及び
前記機構に従って前記ワイヤレス広域ネットワークを介して通信するように前記モデムを構成設定すること
をさらに含む、条項１または２に記載のポータブル電子機器。
【００９１】
４．  前記動作が、
前記モデムの第１の機構がイネーブルにされ、前記モデルの第２の機構がディスエーブルにされること示すビットマップを生成すること、
前記ビットマップを前記第１の通信プロバイダに送信すること、及び
前記モデムに、前記第１の機構に従って前記ワイヤレス広域ネットワークを介して通信させるためのコマンドを前記第１の通信プロバイダから受信すること
をさらに含む、条項１から３のいずれか一項に記載のポータブル電子機器。
【００９２】
５．  電子機器に記憶される構成設定ファイルのバージョンが前記構成設定ファイルの現在のバージョンに一致することを確定することであって、前記記憶された構成設定ファイルが、ワイヤレス広域ネットワークを経由して複数の通信プロバイダのうちの１つと通信するように前記電子機器のモデムを構成設定するための設定を含む、前記確定することと、
加入者識別モジュール（ＳＩＭ）カードが前記電子機器に結合されることを確定することと、
前記複数の通信プロバイダから第１の通信プロバイダを識別する情報を、前記ＳＩＭカードから取得することと、
前記第１の通信プロバイダに対応する第１の設定を前記記憶された構成ファイルから確定することと、
前記第１の設定を使用して、前記ワイヤレス広域ネットワークを経由して前記第１の通信プロバイダと通信するように前記モデムを構成設定することと
を含む方法。
【００９３】
６．  前記第１の設定は、前記ワイヤレス広域ネットワークを経由して通信する際に、第１の機構が前記モデムによって利用されるべきであることを示し、
前記第１の設定は、前記ワイヤレス広域ネットワークを経由して通信する際に、第２の機構が前記モデムによってディスエーブルにされるべきであることを示す、
条項５に記載の方法。
【００９４】
７．  前記第１の機構が、前記ワイヤレス広域ネットワークを経由する前記モデムの通信を認証するための認証機構であり、
前記第２の機構が、第４世代（４Ｇ）ワイヤレス広域ネットワークを経由する通信から、第３世代（３Ｇ）ワイヤレス広域ネットワークを経由する通信に切り替えるのに前記モデムによって使用されるハンドオーバー手順である、
条項６に記載の方法。
【００９５】
８．  前記動作が、
前記第１の通信プロバイダに対応する更新された設定を含む更新された構成設定ファイルを受信すること、及び
前記更新された設定を使用して、前記ワイヤレス広域ネットワークを経由して前記第１の通信プロバイダと通信するように前記モデムを構成設定すること
をさらに含む、条項５から７のいずれか一項に記載の方法。
【００９６】
９．  前記動作が、
前記ＳＩＭカードが前記電子機器内に挿入されたことを確定すること、
アカウント情報を機器プロバイダに送信することであって、前記アカウント情報が、個人が前記電子機器を前記機器プロバイダから入手したことを示す、前記送信すること、
前記構成設定ファイルを前記機器プロバイダから受信すること、及び
前記構成設定ファイルを前記モデムの不揮発性メモリに記憶すること
をさらに含む、条項５から８のいずれか一項に記載の方法。
【００９７】
１０．  前記構成設定ファイルが、第２の通信プロバイダの第２の設定を含み、前記第２の設定が、前記ワイヤレス広域ネットワークを経由して前記第２の通信プロバイダと通信するように前記モデムを構成設定するためのものである、
条項５から９のいずれか一項に記載の方法。
【００９８】
１１．  更新された第１の設定及び更新された第２の設定を含む更新された構成設定ファイルを受信することと、
前記更新された第１の設定を使用して、前記ワイヤレス広域ネットワークを経由して前記第１の通信プロバイダと通信するように前記モデムを構成設定することと
をさらに含む、条項１０に記載の方法。
【００９９】
１２．  前記更新された構成設定ファイルが、第３の通信プロバイダの第３の設定を含み、前記第３の設定が、前記ワイヤレス広域ネットワークを経由して前記第３の通信プロバイダと通信するように前記モデムを構成設定するためのものである、条項１１に記載の方法。
【０１００】
１３．  前記第１の設定を使用して、前記ワイヤレス広域ネットワークを経由して前記第１の通信プロバイダと通信するように前記モデムを構成設定後、前記モデムをリブートすることをさらに含む、条項５から１２のいずれか一項に記載の方法。
【０１０１】
１４．  モデムと、
１つまたは複数のプロセッサと、
加入者識別モジュール（ＳＩＭ）カードに、及び動作を行うように前記１つまたは複数のプロセッサによって実行可能な命令に結合されるワイヤレス広域ネットワークコンポーネントと
を含む電子機器であって、前記動作が、
構成設定ファイルを記憶することであって、前記構成設定ファイルが、ワイヤレス広域ネットワークを介して複数の通信プロバイダと通信するように前記モデムを構成設定するための設定を含む、前記記憶すること、
前記ＳＩＭカードにおいて記憶される識別子に従って、前記複数の通信プロバイダの中から第１の通信プロバイダを識別すること、
前記構成設定ファイルから、前記第１の通信プロバイダに対応する第１の設定を取得すること、及び
前記第１の設定を使用して、前記ワイヤレス広域ネットワークを介して前記第１の通信プロバイダと通信するように前記モデムを構成設定すること
を含む、前記電子機器。
【０１０２】
１５．  前記ＳＩＭカードが、第１のＳＩＭカードであり、
前記動作が、
第２のＳＩＭカードが前記電子機器内に挿入されたことを確定すること、
前記第２のＳＩＭカードにおいて記憶される追加の識別子に従って前記複数の通信プロバイダの中から第２の通信プロバイダを識別すること、
前記構成設定ファイルから、前記第２の通信プロバイダに対応する第２の設定を取得すること、及び
前記第２の設定を使用して、前記ワイヤレス広域ネットワークを介して前記第２の通信プロバイダと通信するように前記モデムを構成設定すること
をさらに含む、
条項１４に記載の電子機器。
【０１０３】
１６．  前記動作が、
前記第２のＳＩＭカードが前記電子機器から取り外されたことを確定すること、及び
前記第１のＳＩＭカードが前記電子機器内に挿入されたことを確定すること
をさらに含む、条項１５に記載の電子機器。
【０１０４】
１７．  前記動作が、前記第１の設定を使用して、前記ワイヤレス広域ネットワークを介して前記第１の通信プロバイダと通信するように前記モデムを再構成設定することをさらに含む、条項１６に記載の電子機器。
【０１０５】
１８．  前記動作が、
ディスエーブルにされる前記ワイヤレス広域ネットワークを経由して通信するための前記電子機器の機構、及びイネーブルにされる前記ワイヤレス広域ネットワークを経由して通信するための前記電子機器の機構を示すビットマップを生成すること、ならびに
前記ビットマップを前記第１の通信プロバイダに送信すること
をさらに含む、条項１４から１７のいずれか一項に記載の電子機器。
【０１０６】
１９．  前記動作が、
前記構成設定ファイルが前記構成設定ファイルの現在のバージョンに一致しないことを確定すること、及び
前記構成設定ファイルの更新されたバージョンを機器プロバイダから取得すること
をさらに含む、条項１４から１８のいずれか一項に記載の電子機器。
【０１０７】
２０．  ワイヤレスのローカルエリアネットワークコンポーネントをさらに含み、前記動作が、前記ワイヤレスのローカルエリアネットワークコンポーネントを介して、前記構成設定ファイルを受信することをさらに含む、条項１４から１９のいずれかに記載の電子機器。
【０１０８】
諸技法について構造的特徴及び／または方法論的行為に特有の文言で説明してきたが、添付の特許請求の範囲が、説明される特徴または行為に必ずしも限定されないことを理解されたい。そうではなく、特徴及び行為は、そのような技法の例示的な実施態様として説明されている。
【図１】
0006420476.tif 000002
【図２】
0006420476.tif 000003
【図３】
0006420476.tif 000004
【図４】
0006420476.tif 000005
【図５】
0006420476.tif 000006
【図６】
0006420476.tif 000007
【図７】
0006420476.tif 000008